(57)【要約】【課題】対戦の機会の創出及びゲームの活性化をしつつ、対戦ゲームにおける種々の戦略を可能にし、ゲームの興趣の幅を広げてその魅力を向上させるゲームシステム等を提供すること。【解決手段】サーバ装置１０は、ゲームの進行状況に応じてゲームフィールドを第１ゲームエリアと第２ゲームエリアとに設定し、第１ゲームエリア内に存在する第１プレーヤキャラクタと、第２ゲームエリアに存在する第２プレーヤキャラクタとの表示態様を制御する表示態様制御処理を実行し、仮想空間内をゲーム画像として画像化し、制御された各プレーヤキャラクタの表示態様を含む、当該ゲーム画像を端末装置２０に提供するための画像データを生成し、表示態様制御処理においては、第１プレーヤの端末装置２０に、第２プレーヤキャラクタを第１の表示態様によって表示させ、第２プレーヤの端末装置２０に、第１プレーヤキャラクタを第１の表示態様とは異なる第２の表示態様によって表示させる構成を有している。【選択図】図４
2020103798.tif 000002
【特許請求の範囲】
【請求項１】
仮想空間上に形成されたゲームフィールド内で、複数のプレーヤキャラクタを用いたプレーヤ間における対戦ゲームを実行し、当該対戦ゲームに関する情報を端末装置に提供するゲームシステムであって、
ゲームの進行状況に応じて、前記ゲームフィールドを、第１ゲームエリアと、当該第１ゲームエリアとは異なる第２ゲームエリアと、に設定するエリア設定手段と、
前記第１ゲームエリア内に存在する第１プレーヤキャラクタと、前記第２ゲームエリアに存在する第２プレーヤキャラクタと、が画像化される際の表示態様を制御する表示態様制御手段と、
前記仮想空間内をゲーム画像として画像化し、前記制御された各プレーヤキャラクタの表示態様を含む、当該ゲーム画像を前記端末装置に提供するための画像データを生成する画像生成手段と、
前記生成された画像データを該当する端末装置に提供する提供手段と、
を備え、
前記表示態様制御手段が、
前記第１プレーヤキャラクタを操作する第１プレーヤの端末装置に、前記第２プレーヤキャラクタを、第１の表示態様によって表示させ、前記第２プレーヤキャラクタを操作する第２プレーヤの端末装置に、前記第１プレーヤキャラクタを、前記第１の表示態様とは異なる第２の表示態様によって表示させる表示態様制御処理を実行することを特徴とするゲームシステム。
【請求項２】
請求項１に記載のゲームシステムにおいて、
前記表示態様制御手段が、
前記第１プレーヤ又は第２プレーヤの端末装置に、前記第１プレーヤキャラクタ及び前記第２プレーヤキャラクタとは異なる第３プレーヤキャラクタを、前記第１の表示態様及び前記第２の表示態様と異なる第３の表示態様によって表示させる、ゲームシステム。
【請求項３】
請求項１又は２に記載のゲームシステムにおいて、
前記第１ゲームエリア及び前記第２ゲームエリアの境界に境界オブジェクトを配置制御するオブジェクト制御手段を更に備え、
前記表示態様制御手段が、
前記境界オブジェクトを通して前記仮想空間内のプレーヤキャラクタが画像化される際に、前記画像化されるプレーヤキャラクタの存在するゲームエリアの種別と、当該画像化されたゲーム画像が提供される端末装置を使用するプレーヤの種別と、に応じて、当該境界オブジェクトの境界面における特性を変化させて各プレーヤキャラクタの前記表示態様を制御する、ゲームシステム。
【請求項４】
請求項３に記載のゲームシステムにおいて、
前記境界オブジェクトの前記第１ゲームエリア及び前記第２ゲームエリアの境界面に沿った面が、複数に分割された分割領域によって形成されており、
前記表示態様制御手段が、
前記境界オブジェクトを通して前記仮想空間内のプレーヤキャラクタが画像化される際に、前記画像化されるプレーヤキャラクタの種別と、当該画像化されたゲーム画像が提供される端末装置を用いるプレーヤの種別と、に応じて、各分割領域を制御して当該境界オブジェクトの特性を変化させる、ゲームシステム。
【請求項５】
請求項４に記載のゲームシステムにおいて、
前記プレーヤの前記各分割領域における干渉又は進行中の前記ゲームの環境を検出する検出手段を更に備え、
前記表示態様制御手段が、
前記検出されたプレーヤの干渉又は前記ゲームの環境に基づいて、前記各分割領域の特性を個々に制御する、ゲームシステム。
【請求項６】
請求項１又は２に記載のゲームシステムにおいて、
前記表示態様制御手段が、
前記第１の表示態様として、前記第２プレーヤキャラクタを画像化する際に、当該第２プレーヤキャラクタをマーキングするためのマーキングオブジェクトを、該当する第２プレーヤキャラクタに重畳することによって、前記表示態様を制御する、ゲームシステム。
【請求項７】
仮想空間上に形成されたゲームフィールド内で、複数のプレーヤキャラクタを用いたプレーヤ間における対戦ゲームを実行し、当該対戦ゲームに関する情報を端末装置に提供するプログラムであって、
ゲームの進行状況に応じて、前記ゲームフィールドを、第１ゲームエリアと、当該第１ゲームエリアとは異なる第２ゲームエリアと、に設定するエリア設定手段、
前記第１ゲームエリア内に存在する第１プレーヤキャラクタと、前記第２ゲームエリアに存在する第２プレーヤキャラクタと、が画像化される際の表示態様を制御する表示態様制御手段、
前記仮想空間内をゲーム画像として画像化し、前記制御された各プレーヤキャラクタの表示態様を含む、当該ゲーム画像を前記端末装置に提供するための画像データを生成する画像生成手段、及び、
前記生成された画像データを該当する端末装置に提供する提供手段、
としてコンピュータを機能させ、
前記表示態様制御手段が、
前記第１プレーヤキャラクタを操作する第１プレーヤの端末装置に、前記第２プレーヤキャラクタを、第１の表示態様によって表示させ、前記第２プレーヤキャラクタを操作する第２プレーヤの端末装置に、前記第１プレーヤキャラクタを、前記第１の表示態様とは異なる第２の表示態様によって表示させる表示態様制御処理を実行することを特徴とするプログラム。
【請求項８】
仮想空間上に形成されたゲームフィールド内で、複数のプレーヤキャラクタを用いたプレーヤ間における対戦ゲームを実行するゲームシステムであって、
ゲームの進行状況に応じて、前記ゲームフィールドを、第１ゲームエリアと、当該第１ゲームエリアとは異なる第２ゲームエリアと、に設定するエリア設定手段と、
前記第１ゲームエリア内に存在する第１プレーヤキャラクタと、前記第２ゲームエリアに存在する第２プレーヤキャラクタと、が画像化される際の表示態様を制御する表示態様制御手段と、
前記仮想空間内をゲーム画像として画像化し、前記制御された各プレーヤキャラクタの表示態様を含む、当該ゲーム画像を表示するための画像データを生成する画像生成手段と、
前記生成された画像データを表示手段に表示する表示制御手段と、
を備え、
前記表示態様制御手段が、
前記第１プレーヤキャラクタを操作する第１プレーヤの端末装置に、前記第２プレーヤキャラクタを、第１の表示態様によって表示させ、前記第２プレーヤキャラクタを操作する第２プレーヤの端末装置に、前記第１プレーヤキャラクタを、前記第１の表示態様とは異なる第２の表示態様によって表示させる表示態様制御処理を実行することを特徴とするゲームシステム。
【発明の詳細な説明】
【技術分野】
【０００１】
本発明は、ゲームシステム及びプログラムなどに関する。
【背景技術】
【０００２】
従来から、ゲーム等におけるプレーヤキャラクタを追う第３者視点でゲーム中の世界・空間を任意で移動でき、武器もしくは素手などを用いて戦うＴＰＳ（サード・パーソンシューティング）ゲーム（サードパーソンシューター）、又は、プレーヤキャラクタ視点でゲーム中の世界・空間を任意で移動でき、武器もしくは素手などを用いて戦うＦＰＳ（ファースト・パーソン・シューティング）ゲーム（ファーストパーソンシューター）などアクションゲームやシューティングゲームが知られている。
【０００３】
また、このようなゲームにおいては、複数のプレーヤやチームによって最後までゲームを続けることができたプレーヤ又はチームを勝者として認めるバトルロイヤル形式で実行される対戦ゲームも多い。
【０００４】
特に、最近では、バトルロイヤル形式の対戦ゲームとしては、個人間やチーム間における対戦の機会を数多く創出し、ゲームを活性化させるために、時間経過とともに滞在するとペナルティが付与され、プレーヤにダメージが与えられるペナルティエリアが拡大しつつ、戦闘可能なエリアが狭まるものが知られている（例えば、特許文献１）。
【先行技術文献】
【非特許文献】
【０００５】
【非特許文献１】ＰＬＡＹＥＲＵＮＫＯＷＮ‘Ｓ  ＢＡＴＴＬＥＧＲＯＵＮＤＳの公式サイト［平成３０年９月１９日検索］（ＵＲＬ：ｈｔｔｐ：／／ｐｕｂｇ．ｄｍｍ．ｃｏｍ／ａｂｏｕｔ）
【発明の概要】
【発明が解決しようとする課題】
【０００６】
しかしながら、上記非特許文献１に記載のゲームシステムにあっては、対戦の機会の創出及びゲームの活性化に繋がるものの、新たなゲーム性という観点からは工夫の余地がある。
【０００７】
本発明は、上記課題を解決するためになされたものであり、その目的は、対戦の機会の創出及びゲームの活性化をしつつも、対戦ゲームにおける種々の戦略を可能にし、ゲームの興趣の幅を広げてその魅力を向上させることが可能なゲームシステムなどを提供することにある。
【課題を解決するための手段】
【０００８】
（１）上記課題を解決するため、本発明は、
仮想空間上に形成されたゲームフィールド内で、複数のプレーヤキャラクタを用いたプレーヤ間における対戦ゲームを実行し、当該対戦ゲームに関する情報を端末装置に提供するゲームシステムであって、
ゲームの進行状況に応じて、前記ゲームフィールドを、第１ゲームエリアと、当該第１ゲームエリアとは異なる第２ゲームエリアと、に設定するエリア設定手段と、
前記第１ゲームエリア内に存在する第１プレーヤキャラクタと、前記第２ゲームエリアに存在する第２プレーヤキャラクタと、が画像化される際の表示態様を制御する表示態様制御手段と、
前記仮想空間内をゲーム画像として画像化し、前記制御された各プレーヤキャラクタの表示態様を含む、当該ゲーム画像を前記端末装置に提供するための画像データを生成する画像生成手段と、
前記生成された画像データを該当する端末装置に提供する提供手段と、
を備え、
前記表示態様制御手段が、
前記第１プレーヤキャラクタを操作する第１プレーヤの端末装置に、前記第２プレーヤキャラクタを、第１の表示態様によって表示させ、前記第２プレーヤキャラクタを操作する第２プレーヤの端末装置に、前記第１プレーヤキャラクタを、前記第１の表示態様とは異なる第２の表示態様によって表示させる表示態様制御処理を実行する、構成を有している。
【０００９】
この構成により、本発明は、アイテムの獲得や能力のレベルアップなどによって、ゲームの進行状況やプレーヤの操作意図に応じて反映されている各プレーヤキャラクタの表示態様を、第１ゲームエリアに存在するか又は第２ゲームエリアに存在するかに応じて、かつ、プレーヤキャラクタを含むゲーム画像が提供されるプレーヤの種別に応じて、プレーヤに有利又は不利となる表示態様に変更することができる。
【００１０】
例えば、本発明は、第１プレーヤの端末装置においてペナルティエリアなどの第２ゲームエリアに存在する第２プレーヤキャラクタを表示する場合には、当該第２プレーヤキャラクタを第１プレーヤに視認可能に表示させ、若しくは、強調表示させる一方で、第２プレーヤの端末装置において第１ゲームエリアなどのペナルティ外のエリアに存在する第１プレーヤキャラクタを表示する場合には、当該第１プレーヤキャラクタを第２プレーヤに認識不能に設定し、若しくは、認識困難に表示させることができる。
【００１１】
すなわち、本発明は、例えば、ペナルティエリアなどの第２ゲームエリアに存在するプレーヤキャラクタに対する不利益を与える表示態様に制御することによって、心理的に、ペナルティエリア内に滞在することを回避させてペナルティエリア外などの第１ゲームエリアに誘導することができる。
【００１２】
したがって、本発明は、例えば、第１ゲームエリアを徐々に小さくすれば、プレーヤキャラクタの活動範囲が狭くなることができるので、当該プレーヤキャラクタ同士の数多くの対戦の機会を創出することができるなど、エリアに基づく表示態様を制御することによって、ゲームを活性化させること、及び、その興趣性を向上させることができる。
【００１３】
また、本発明は、第１プレーヤの端末装置に表示される第２プレーヤキャラクタと第２プレーヤの端末装置に表示される第１プレーヤキャラクタとにおいては、単に表示態様が異なるだけであるので、例えば、表示態様において不利益が課されたとしても、プレーヤキャラクタを第２ゲームエリア内に存在し続けさせることができる。
【００１４】
すなわち、本発明は、例えば、第２ゲームエリアに存在することに基づく不利益を享受しつつも、一律に第１ゲームエリアに移動せずに、敢えて第２ゲームエリアから攻撃をすることもできる。
【００１５】
したがった、本発明は、第２ゲームエリアを用いた対戦の実施など、各プレーヤにおける自由度の高いゲーム戦略を構築させることができるので、ゲームを興趣する際の広げてその魅力を向上させることができる。
【００１６】
なお、「ゲームの進行状況」には、例えば、ゲーム進行に係る各要素であって、ゲーム開始からの経過時間を示す時間要素、及び、プレーヤキャラクタ（当該プレーヤキャラク
タを操作制御するプレーヤ）の成績、プレーヤキャラクタが対戦するゲームの場合には他のプレーヤキャラクタとの対戦結果などの戦績、残存するプレーヤキャラクタの数や各プレーヤキャラクタの残存する体力値、及び、各プレーヤキャラクタにおけるゲームフィールドの位置関係などの非時間要素が含まれる。
【００１７】
また、「仮想空間内をゲーム画像として画像化し」とは、例えば、仮想空間内に配置された仮想カメラを視点とした撮像範囲を画像化することを示す。
【００１８】
一方、「表示態様」には、可視化することや不可視化することの他に、発光や輪郭強調などの強調表示、拡大などの特別表示（例えば、エイムアシストを利用した表示）などが含まれる。
【００１９】
なお、「ゲームの進行状況」には、例えば、ゲーム進行に係る各要素であって、ゲーム開始からの経過時間を示す時間要素、及び、プレーヤキャラクタ（当該プレーヤキャラクタを操作制御するプレーヤ）の成績、プレーヤキャラクタが対戦するゲームの場合には他のプレーヤキャラクタとの対戦結果などの戦績、残存するプレーヤキャラクタの数や各プレーヤキャラクタの残存する体力値、及び、各プレーヤキャラクタにおけるゲームフィールドの位置関係などの非時間要素が含まれる。
【００２０】
また、「仮想空間内をゲーム画像として画像化し」とは、例えば、仮想空間内に配置された仮想カメラを視点とした撮像範囲を画像化することを示す。
【００２１】
一方、「表示態様」には、可視化することや不可視化することの他に、発光や輪郭強調などの強調表示、拡大などの特別表示（例えば、エイムアシストを利用した表示）などが含まれる。
【００２２】
（２）また、本発明は、
前記表示態様制御手段が、
前記第１プレーヤキャラクタを操作する第１プレーヤ又は第２プレーヤの端末装置に、前記第１プレーヤキャラクタ及び前記第２プレーヤキャラクタとは異なる第３プレーヤキャラクタを、前記第１の表示態様及び前記第２の表示態様と異なる第３の表示態様によって表示させる、構成を有している。
【００２３】
この構成により、本発明は、例えば、第１ゲームエリアに存在する他のプレーヤキャラクタや第２ゲームエリアに存在する他のプレーヤキャラクタなどの第３プレーヤキャラクタについては、第１のプレーヤキャラクタや第２プレーヤキャラクタの表示態様とは異なる表示態様を実行することができる。
【００２４】
例えば、本発明は、第３プレーヤキャラクタが第１ゲームエリアに存在する場合には、ゲーム進行に伴って当該第３プレーヤキャラクタを操作するプレーヤの意図が反映された表示態様（プレーヤの操作によってのみ設定された表示態様であって、当該プレーヤの操作に基づく設定以外の加工がされていない表示態様、すなわち、ゲームの環境に従って表示される特別な表示加工のない通常の表示態様）によって、第１プレーヤの端末装置に当該第３プレーヤキャラクタを表示させる。
【００２５】
また、本発明は、第３プレーヤキャラクタが第２ゲームエリアに存在する場合には、第２プレーヤキャラクタと同種の不利益となる表示態様であって当該第２プレーヤキャラクタとは異なる表示態様によって、第１プレーヤに提供することができる。
【００２６】
そして、本発明は、第３プレーヤキャラクタが第１ゲームエリアに存在する場合には、
第２プレーヤキャラクタの表示態様とは異なり、不利益のない表示態様によって第１プレーヤに提供することができる。
【００２７】
したがって、本発明は、プレーヤキャラクタが第１ゲームエリアなどのペナルティ外のエリアに存在すれば、通常の状態によって対戦を実行することができるので、ペナルティエリア内に滞在することを回避させてペナルティエリア外などの第１ゲームエリアに各プレーヤキャラクタを誘導することができる。
【００２８】
なお、「第３プレーヤキャラクタ」は、第１ゲームエリアに存在するプレーヤキャラクタであってもよいし、第２ゲームエリアに存在するプレーヤキャラクタであってもよい。
【００２９】
（３）また、本発明は、
前記第１ゲームエリア及び前記第２ゲームエリアの境界に境界オブジェクトを配置制御するオブジェクト制御手段を更に備え、
前記表示態様制御手段が、
前記境界オブジェクトを通して前記仮想空間内のプレーヤキャラクタが画像化される際に、前記画像化されるプレーヤキャラクタの存在するゲームエリアの種別と、当該画像化されたゲーム画像が提供される端末装置を使用するプレーヤの種別と、に応じて、当該境界オブジェクトの境界面における特性を変化させて各プレーヤキャラクタの前記表示態様を制御する、構成を有している。
【００３０】
この構成により、本発明は、ゲーム空間を構築するオブジェクトの概念を用いてプレーヤキャラクタの表示態様の制御を実現することができるので、複雑な処理をすることなく第２ゲームエリアに存在するプレーヤキャラクタを不利にし、又は、第１ゲームエリアに存在するプレーヤキャラクタを有利にすることができる。
【００３１】
なお、「境界オブジェクト」は、例えば、仮想カメラなどによって境界オブジェクトを通して仮想空間内のプレーヤキャラクタが画像化される際に、プレーヤキャラクタの表示態様を制御するための特性を有している。
【００３２】
また、「境界オブジェクトの境界面における特性」には、例えば、第１ゲームエリア及び第２ゲームエリアの境界面の透明度、当該境界面の色（ＲＧＢ）、及び、当該境界面を介して対象のオブジェクトを画像化した際に当該オブジェクトそのもの又は輪郭を強調表示するための性質などを含む。
【００３３】
そして、当該境界面の特性については、境界面全体として１の特性を有していてもよいし、境界面が複数に分割された分割領域によって形成されており、個々の分割領域を制御することによって当該特性を制御してもよい。
【００３４】
（４）また、本発明は、
前記境界オブジェクトの前記第１ゲームエリア及び前記第２ゲームエリアの境界面に沿った面が、複数に分割された分割領域によって形成されており、
前記表示態様制御手段が、
前記境界オブジェクトを通して前記仮想空間内のプレーヤキャラクタが画像化される際に、前記画像化されるプレーヤキャラクタの種別と、当該画像化されたゲーム画像が提供される端末装置を用いるプレーヤの種別と、に応じて、各分割領域を制御して当該境界オブジェクトの特性を変化させる、構成を有している。
【００３５】
この構成により、本発明は、例えば、プレーヤに基づく操作に応じて分割領域を個々に制御し、又は、常に一部の分割領域にのみ適用するなど、プレーヤキャラクタの部分毎に
表示態様を変化させることができるので、当該個々の分割領域の変化において対戦ゲームと連動させることも可能となり、プレーヤキャラクタの表示態様においてもゲーム性を組み込むことができる。
【００３６】
なお、「各分割領域を制御して」とは、例えば、分割領域毎にパラメータを設定し、画像化されるプレーヤキャラクタの種別と、当該画像化されたゲーム画像が提供される端末装置を用いるプレーヤの種別と、に応じて当該各パラメータを制御することによって各分割領域を制御することを示す。
【００３７】
特に、「分割領域の制御」には、透明度（グレースケール）の制御、色（ＲＧＢ）の制御、サイズの制御、及び、形の制御を含み、さらに、これらに代えて、又は、これらに加えて、分割領域毎に、対象物となるオブジェクト（プレーヤキャラクタを含む。）の種別に応じた当該オブジェクトのそのもの又は輪郭の強調制御などが含まれる。
【００３８】
（５）また、本発明は、
前記プレーヤの前記各分割領域における干渉又は進行中の前記ゲームの環境を検出する検出手段を更に備え、
前記表示態様制御手段が、
前記検出されたプレーヤの干渉又は前記ゲームの環境に基づいて、前記各分割領域の特性を個々に制御する構成を有している。
【００３９】
この構成により、本発明は、プレーヤに基づく操作に応じて、又は、ゲーム空間の環境に応じて、分割領域を個々に制御し、又は、一部の分割領域のみ制御することができる。
【００４０】
例えば、本発明は、ペナルティ領域である第２ゲームエリアなどのゲームエリアに存在するプレーヤキャラクタのプレーヤに対する第１プレーヤキャラクタの視認不能などのペナルティを、第２プレーヤキャラクタの攻撃に基づいて分割領域を攻撃又は破壊することによって視認不能な第１プレーヤキャラクタを視認可能なプレーヤキャラクタとしてその表示態様を変更することができる。
【００４１】
また、本発明は、このようなプレーヤに対するペナルティを、ゲーム空間の天候や照明の状況などの進行中のゲームの環境に基づいて各分割領域を制御し、視認不能な第１プレーヤキャラクタを視認可能なプレーヤキャラクタとしてその表示態様を変更することができる。
【００４２】
したがって、本発明は、プレーヤキャラクタの種別に基づく表示態様の制御についても、プレーヤの操作や進行中のゲームの環境に応じた制御を実行することができるので、表示制御処理に関してもゲーム性を組み込むことができる。
【００４３】
なお、「プレーヤの干渉」とは、例えば、
（Ａ１）境界オブジェクト若しくはその一部へのプレーヤキャラクタ自身若しくは当該プレーヤキャラクタのアイテムを用いた接触や攻撃など、当該境界オブジェクト又はその一部を毀損させるための行動だけでなく、魔法などの境界オブジェクトへの非物理的な干渉によって、
（Ａ２）プレーヤキャラクタが境界に接近することによって（すなわち、境界オブジェクトとプレーヤキャラクタとの距離によって）、
（Ａ３）プレーヤキャラクタが第１ゲームエリアから第２ゲームエリアに侵入してから当該第２ゲームエリアに滞留し続け、かつ、ゲーム空間が夜になった場合など、プレーヤキャラクタの行動に連動して特定の境界オブジェクト周辺の環境（すなわち、環境パラメータ）が変化することによって、又は、
（Ａ４）プレーヤキャラクタが同一の境界エリア（ゲーム空間内の同一の座標であってもよいし、同一とみなされる所定の座標範囲であってもよい）を介して第１ゲームエリアから第２ゲームエリアへの侵入を繰り返した場合に境界オブジェクトに設定されたパラメータが変化する場合など、プレーヤキャラクタの行動（特に、移動）に関連して予め設定された境界オブジェクトに関するパラメータが変化することによって、
当該境界オブジェクト又はその一部の特性を変化させる行動又は行動履歴を含む。
【００４４】
また、「ゲームの進行状況」には、画像化対象のプレーヤキャラクタや提供対象のプレーヤが操作するプレーヤキャラクタの体力などのパラメータの値、ゲームフィールドの天候（晴れや雨など）や明るさ（室内の照明の有無や朝昼夜などの時間帯）が含まれる。
【００４５】
さらに、「分割領域の特性」とは、透明度（グレースケール）、色（ＲＧＢ）、サイズ、形、及び、対象物となるオブジェクト（プレーヤキャラクタを含む。）の種別に応じた当該オブジェクトのそのもの又は輪郭の強調するための性質などを含む。
【００４６】
（６）また、本発明は、
前記表示態様制御手段が、
前記第１の表示態様として、前記第２プレーヤキャラクタを画像化する際に、当該第２プレーヤキャラクタをマーキングするためのマーキングオブジェクトを、該当する第２プレーヤキャラクタに重畳することによって、前記表示態様を制御する、構成を有している。
【００４７】
この構成により、本発明は、マーキングなどの画像処理的にプレーヤキャラクタの表示態様の制御を実現することができるので、複雑な処理をすることなく第２ゲームエリアに存在するプレーヤを表示態様によって不利にすることができる。
【００４８】
なお、「マーキングオブジェクト」は、例えば、単に発光体的なオブジェクトであってもよいし、パラメータ（例えば体力値）に関する情報、ライフ数や残基に関する情報、又は、装備・アイテム・能力などのプレーヤ若しくはプレーヤキャラクの特性に関する情報を表示するためのオブジェクトであってもよい。
【００４９】
（７）また、上記課題を解決するため、本発明は、
仮想空間上に形成されたゲームフィールド内で、複数のプレーヤキャラクタを用いたプレーヤ間における対戦ゲームを実行し、当該対戦ゲームに関する情報を端末装置に提供するプログラムであって、
ゲームの進行状況に応じて、前記ゲームフィールドを、第１ゲームエリアと、当該第１ゲームエリアとは異なる第２ゲームエリアと、に設定するエリア設定手段、
前記第１ゲームエリア内に存在する第１プレーヤキャラクタと、前記第２ゲームエリアに存在する第２プレーヤキャラクタと、が画像化される際の表示態様を制御する表示態様制御手段、
前記仮想空間内をゲーム画像として画像化し、前記制御された各プレーヤキャラクタの表示態様を含む、当該ゲーム画像を前記端末装置に提供するための画像データを生成する画像生成手段、及び、
前記生成された画像データを該当する端末装置に提供する提供手段、
としてコンピュータを機能させ、
前記表示態様制御手段が、
前記第１プレーヤキャラクタを操作する第１プレーヤの端末装置に、前記第２プレーヤキャラクタを、第１の表示態様によって表示させ、前記第２プレーヤキャラクタを操作する第２プレーヤの端末装置に、前記第１プレーヤキャラクタを、前記第１の表示態様とは異なる第２の表示態様によって表示させる表示態様制御処理を実行する、構成を有して
いる。
【００５０】
この構成により、本発明は、アイテムの獲得や能力のレベルアップなどによって、ゲームの進行状況やプレーヤの操作意図に応じて反映されている各プレーヤキャラクタの表示態様を、第１ゲームエリアに存在するか又は第２ゲームエリアに存在するかに応じて、かつ、プレーヤキャラクタを含むゲーム画像が提供されるプレーヤの種別に応じて、プレーヤに有利又は不利となる表示態様に変更することができる。
【００５１】
したがって、本発明は、例えば、第１ゲームエリアを徐々に小さくすれば、プレーヤキャラクタの活動範囲が狭くなることができるので、当該プレーヤキャラクタ同士の数多くの対戦の機会を創出することができるなど、エリアに基づく表示態様を制御することによって、ゲームを活性化させること、及び、その興趣性を向上させることができる。
【００５２】
（８）また、上記課題を解決するため、本発明は、
仮想空間上に形成されたゲームフィールド内で、複数のプレーヤキャラクタを用いたプレーヤ間における対戦ゲームを実行するゲームシステムであって、
ゲームの進行状況に応じて、前記ゲームフィールドを、第１ゲームエリアと、当該第１ゲームエリアとは異なる第２ゲームエリアと、に設定するエリア設定手段と、
前記第１ゲームエリア内に存在する第１プレーヤキャラクタと、前記第２ゲームエリアに存在する第２プレーヤキャラクタと、が画像化される際の表示態様を制御する表示態様制御手段と、
前記仮想空間内をゲーム画像として画像化し、前記制御された各プレーヤキャラクタの表示態様を含む、当該ゲーム画像を表示するための画像データを生成する画像生成手段と、
前記生成された画像データを表示手段に表示する表示制御手段と、
を備え、
前記表示態様制御手段が、
前記第１プレーヤキャラクタを操作する第１プレーヤの端末装置に、前記第２プレーヤキャラクタを、第１の表示態様によって表示させ、前記第２プレーヤキャラクタを操作する第２プレーヤの端末装置に、前記第１プレーヤキャラクタを、前記第１の表示態様とは異なる第２の表示態様によって表示させる表示態様制御処理を実行する、構成を有している。
【００５３】
この構成により、本発明は、アイテムの獲得や能力のレベルアップなどによって、ゲームの進行状況やプレーヤの操作意図に応じて反映されている各プレーヤキャラクタの表示態様を、第１ゲームエリアに存在するか又は第２ゲームエリアに存在するかに応じて、かつ、プレーヤキャラクタを含むゲーム画像が提供されるプレーヤの種別に応じて、プレーヤに有利又は不利となる表示態様に変更することができる。
【００５４】
したがって、本発明は、例えば、第１ゲームエリアを徐々に小さくすれば、プレーヤキャラクタの活動範囲が狭くなることができるので、当該プレーヤキャラクタ同士の数多くの対戦の機会を創出することができるなど、エリアに基づく表示態様を制御することによって、ゲームを活性化させること、及び、その興趣性を向上させることができる。
【図面の簡単な説明】
【００５５】
【図１】一実施形態のゲームシステムの構成を示すシステム構成の一例を示す図である。
【図２】一実施形態のサーバ装置の機能ブロックを示す図である。
【図３】一実施形態の端末装置の機能ブロックを示す図である。
【図４】一実施形態におけるゲームエリア変換処理を含む表示態様制御処理を説明するための図（その１）である。
【図５】一実施形態におけるゲームエリア変換処理を含む表示態様制御処理を説明するための図（その２）である。
【図６】一実施形態のゲームの進行状況に応じて実行されるゲームエリア変換処理を説明するための図（その１）である。
【図７】一実施形態のゲームの進行状況に応じて実行されるゲームエリア変換処理を説明するための図（その２）である。
【図８】一実施形態における表示態様制御処理（境界オブジェクトの配置制御及び特性制御）を説明するための図（その１）である。
【図９】一実施形態における表示態様制御処理（境界オブジェクトの配置制御及び特性制御）を説明するための図（その２）である。
【図１０】一実施形態における表示態様制御処理（プレーヤキャラクの表示加工処理）を説明するための図（その１）である。
【図１１】一実施形態における表示態様制御処理（プレーヤキャラクの表示加工処理）を説明するための図（その２）である。
【図１２】一実施形態の変形例における境界オブジェクトの分割領域への干渉に基づく表態様制御処理を説明するための図（その１）である。
【図１３】一実施形態の変形例における境界オブジェクトの分割領域への干渉に基づく表態様制御処理を説明するための図（その２）である。
【図１４】一実施形態の変形例におけるゲームの進行状況に応じて実行されるゲームエリア設定処理（移動）を説明するための図（その１）である。
【図１５】一実施形態の変形例におけるゲームの進行状況に応じて実行されるゲームエリア設定処理（移動）を説明するための図（その２）である。
【図１６】一実施形態のサーバ装置によって実行されるゲーム状況検出処理及びゲームエリア変換処理を伴う制約設定処理の動作を示すフローチャートである。
【発明を実施するための形態】
【００５６】
以下、本実施形態について説明する。なお、以下に説明する本実施形態は、特許請求の範囲に記載された本発明の内容を不当に限定するものではない。また本実施形態で説明される構成の全てが、本発明の必須構成要件であるとは限らない。
【００５７】
［１］ゲームシステム
まず、図１を用いて本実施形態のゲームシステム１の概要及び概要構成について説明する。なお、図１は、本実施形態のゲームシステム１の構成を示すシステム構成の一例を示す図である。
【００５８】
本実施形態のゲームシステム１は、図１に示すように、ゲームサービスを提供するサーバ装置１０と、端末装置２０（例えば、端末装置２０Ａ、２０Ｂ、２０Ｃ）とが、インターネット（ネットワークの一例）に接続可能に構成されている。
【００５９】
ユーザは、端末装置２０からサーバ装置１０にアクセスすることにより、インターネットを介してサーバ装置１０から送信されてくるゲームをプレーすることができる。さらに、ユーザは端末装置２０からサーバ装置１０にアクセスすることにより、他のユーザとの間でコミュニケーションを図ることができるようになっている。
【００６０】
サーバ装置１０は、インターネットを介して通信接続された端末装置２０を用いて、ユーザにゲームをプレーさせるサービスを提供することが可能な情報処理装置である。また、サーバ装置１０は、コミュニケーション型のサービスを提供するＳＮＳサーバとして機能してもよい。ここで、ＳＮＳサーバとは、複数のユーザ間でコミュニケーションを提供することが可能なサービスを提供する情報処理装置であってもよい。
【００６１】
また、サーバ装置１０は、例えば、ＳＮＳサーバとして機能する場合には、提供するＳＮＳの動作環境（ＡＰＩ（アプリケーションプログラミングインタフェース）、プラットフォーム等）を利用して実行されるソーシャルゲーム（Ｓｏｃｉａｌ  Ｇａｍｅ）をと呼ばれるゲームを提供することができるようになっている。
【００６２】
特に、サーバ装置１０は、端末装置２０のＷｅｂブラウザ上で提供されるゲーム、例えばＨＴＭＬ、ＦＬＡＳＨ、ＣＧＩ、ＰＨＰ、ｓｈｏｃｋｗａｖｅ、Ｊａｖａ（登録商標）アプレット、ＪａｖａＳｃｒｉｐｔ（登録商標）など様々な言語で作られたブラウザゲーム（Ｗｅｂブラウザで設置サイトを開くだけで起動するゲーム）を提供することができるようになっている。 
【００６３】
なお、ソーシャルゲームとは、既存のオンラインゲームとは違い、専用のクライアントソフトウェアを必要とせず、ＷｅｂブラウザとＳＮＳのアカウントのみで利用可能なゲームが含まれる。また、サーバ装置１０は、ネットワークを介して他のユーザの端末（スマートフォン、パソコン、ゲーム機など）と接続し、オンラインで同時に同じゲーム進行を共有することができるオンラインゲームを提供することが可能な構成を有している。
【００６４】
一方、サーバ装置１０は、１つの（装置、プロセッサ）で構成されていてもよいし、複数の（装置、プロセッサ）で構成されていてもよい。
【００６５】
そして、サーバ装置１０の記憶領域（後述する記憶部１４０）に記憶される課金情報、ゲーム情報等の情報を、ネットワーク（イントラネット又はインターネット）を介して接続されたデータベース（広義には記憶装置、メモリ）に記憶するようにしてもよいし、ＳＮＳサーバとして機能する場合には、記憶領域に記憶されるプレーヤ情報記憶部１４６等の情報を、ネットワーク（イントラネット又はインターネット）を介して接続されたデータベース（広義には記憶装置、メモリ）に記憶するようにしてもよい。
【００６６】
具体的には、本実施形態のサーバ装置１０は、端末装置２０のユーザ（すなわち、ゲームを実行するプレーヤ）の操作に基づく入力情報を受信し、受信した入力情報に基づいてゲーム処理を行うようになっている。そして、サーバ装置１０は、ゲーム処理結果を端末装置２０に送信し、端末装置２０は、サーバ装置１０から受信したゲーム処理結果を端末装置２０にユーザに閲覧可能に提供する各種の処理を行うようになっている。
【００６７】
端末装置２０は、スマートフォン、携帯電話、ＰＨＳ、コンピュータ、ゲーム装置、ＰＤＡ、携帯型ゲーム機等、画像生成装置などの情報処理装置であり、インターネット（ＷＡＮ）、ＬＡＮなどのネットワークを介してサーバ装置１０に接続可能な装置である。なお、端末装置２０とサーバ装置１０との通信回線は、有線でもよいし無線でもよい。
【００６８】
また、端末装置２０は、Ｗｅｂページ（ＨＴＭＬ形式のデータ）を閲覧可能なＷｅｂブラウザを備えている。すなわち、端末装置２０は、サーバ装置１０との通信を行うための通信制御機能、及びサーバ装置１０から受信したデータ（Ｗｅｂデータ、ＨＴＭＬ形式で作成されたデータなど）を用いて表示制御を行うとともに、ユーザ操作のデータをサーバ装置１０に送信するＷｅｂブラウザ機能などを備え、ゲーム画面をユーザに提供する各種の処理を実行し、ユーザによってゲームを実行させるようになっている。ただし、端末装置２０は、サーバ装置１０から提供されたゲーム制御情報を取得して所定のゲーム処理を実行し、ゲーム処理に基づくゲームを実行してもよい。
【００６９】
具体的には、端末装置２０は、所定ゲームを行う旨の要求をサーバ装置１０に対して行うと、サーバ装置１０のゲームサイトに接続され、ゲームが開始される。特に、端末装置２０は、必要に応じてＡＰＩを用いることにより、ＳＮＳサーバとして機能するサーバ装
置１０に所定の処理を行わせ、又は、ＳＮＳサーバとして機能するサーバ装置１０が管理するプレーヤ情報記憶部１４６を取得させてゲームを実行する構成を有している。
【００７０】
［２］サーバ装置
次に、図２を用いて本実施形態のサーバ装置１０について説明する。なお、図２は、本実施形態のサーバ装置１０の機能ブロックを示す図である。また、本実施形態のサーバ装置１０は図２の構成要素（各部）の一部を省略した構成としてもよい。
【００７１】
サーバ装置１０は、管理者やその他の入力に用いるための入力部１２０、所定の表示を行う表示部１３０、所定の情報が記憶された情報記憶媒体１８０、端末装置２０やその他と通信を行う通信部１９６、主に提供するゲームに関する処理を実行する処理部１００、及び、主にゲームに用いる各種のデータを記憶する記憶部１４０を含む。
【００７２】
入力部１２０は、システム管理者等がゲームに関する設定やその他の必要な設定、データの入力に用いるものである。例えば、本実施形態の入力部１２０は、マウスやキーボード等によって構成される。
【００７３】
表示部１３０は、システム管理者用の操作画面を表示するものである。例えば、本実施形態の表示部１３０は、液晶ディスプレイ等によって構成される。
【００７４】
情報記憶媒体１８０（コンピュータにより読み取り可能な媒体）は、プログラムやデータなどを格納するものであり、その機能は、光ディスク（ＣＤ、ＤＶＤ）、光磁気ディスク（ＭＯ）、磁気ディスク、ハードディスク、磁気テープ、或いはメモリ（ＲＯＭ）などによって構成される。
【００７５】
通信部１９６は、外部（例えば、端末、他のサーバや他のネットワークシステム）との間で通信を行うための各種制御を行うものであり、その機能は、各種プロセッサ又は通信用ＡＳＩＣなどのハードウェアや、プログラムなどによって構成される。
【００７６】
記憶部１４０は、処理部１００や通信部１９６などのワーク領域となるもので、その機能は、ＲＡＭ（ＶＲＡＭ）などによって構成される。なお、記憶部１４０に記憶される情報は、データベースで管理してもよい。
【００７７】
また、本実施形態の記憶部１４０は、主記憶部１４２の他に、ゲームに関する情報を示すゲーム情報が記憶されるゲームデータ記憶部１４４、及び、各プレーヤに関する情報を示すプレーヤ情報及びプレーヤのゲームに関する情報（以下、「プレーヤ関連情報」という。）が記憶されるプレーヤ情報記憶部１４６を有している。
【００７８】
特に、ゲームデータ記憶部１４４には、ゲームが実施されるゲームフィールドの情報、及び、各種の判定に用いる条件情報、ゲームフィールド上の各オブジェクトの情報、各オブジェクトを変更するための情報、各種のテーブル情報、各プレーヤのプレーヤキャラクタに関する情報などが記憶される。
【００７９】
また、プレーヤ情報記憶部１４６には、プレーヤ毎に
（Ａ１）プレーヤのニックネームやプレーヤＩＤ及びチームに属している場合には、所属チーム名やそのＩＤ（以下、「所属情報」という。）、
（Ａ２）現在の得点、獲得した報酬若しくはゲーム時間などの個人及びチームの成績に関する情報（以下、「成績情報」ともいう。）、
（Ａ３）プレーヤキャラクタの特性や属性及び当該プレーヤキャラクタが有するアイテムの種別（アイテムの能力も含む）に関する情報、
（Ａ４）他のプレーヤキャラクタや他のチームとの対戦ゲームにおける他のプレーヤキャラクタや他のチームとの勝敗数などの戦績に関する情報（以下、「戦績情報」ともいう。）、
（Ａ５）各プレーヤ又はチームのゲームフィールド内の位置を示す位置情報又は当該位置の履歴を示す位置履歴情報、
（Ａ６）経験値やライフエネルギーなどの各プレーヤのプレーヤキャラクタの勝敗に直結するパラメータの値（以下、「エネルギーパラメータ値」という。）の情報（以下、「エネルギーパラメータ情報」ともいう。）及び敗退の有無（ゲームオーバか否か）の情報（以下、「敗退情報」ともいう。）、並びに、
（Ａ７）課金履歴及び課金額などの課金に関する情報
が記憶される。
【００８０】
なお、プレーヤ情報に含まれる成績情報、戦績情報及び敗退情報は、予め定められたタイミング毎に更新される。例えば、予め定められたタイミングとしては、所与の期間毎（５分毎など）、プレーヤがログアウトするタイミング、ゲーム内の所定の時刻（朝８：００など）、所定のイベントが発生したタイミング（いずれかの個人間対戦やチーム間対戦が終了したタイミング）などが含まれる。
【００８１】
また、エネルギーパラメータ情報は、基本的には、ゲーム中に他のプレーヤキャラクタからの攻撃などの干渉を受けた際に、リアルタイムで減少し、食事や休息などの回復行動を行った場合にリアルタイムで増加する。そして、エネルギーパラメータ情報は、例えば、値が「０」になった場合に、当該プレーヤのゲームがゲームオーバとする情報である。
【００８２】
処理部１００は、記憶部１４０内の主記憶部１４２をワーク領域として各種処理を行う。処理部１００の機能は各種プロセッサ（ＣＰＵ、ＤＳＰ等）、ＡＳＩＣ（ゲートアレイ等）などのハードウェアや、プログラムにより実現できる。
【００８３】
処理部１００は、情報記憶媒体１８０に格納されるプログラム（データ）に基づいて本実施形態の種々の処理を行う。即ち情報記憶媒体１８０には、本実施形態の各部としてコンピュータを機能させるためのプログラム（各部の処理をコンピュータに実行させるためのプログラム）が記憶される。
【００８４】
例えば、処理部１００（プロセッサ）は、情報記憶媒体に記憶されているプログラムに基づいて、サーバ装置１０全体の制御を行うとともに、各部間におけるデータ等の受け渡しの制御などの各種の処理を行う。さらに、端末装置２０からの要求に応じた各種サービスを提供する処理を行う。
【００８５】
具体的には、本実施形態の処理部１００は、通信制御部１０１、Ｗｅｂ処理部１０２、ゲーム管理部１０３、移動制御部１０４、ゲーム状況検出部１０５、エリア設定部１０６、表示態様制御部１０７、タイマ管理部１０９、及び、情報提供部１１０を少なくとも有している。
【００８６】
なお、例えば、本実施形態のゲーム状況検出部１０５は、本発明の検出手段を構成し、エリア設定部１０６は、本発明のエリア設定手段を構成する。また、例えば、本実施形態の表示態様制御部１０７は、本発明の表示態様制御手段及びオブジェクト制御手段を構成し、情報提供部１１０は、本発明の画像生成手段及び提供手段を構成する。
【００８７】
通信制御部１０１は、端末装置２０とネットワークを介してデータを送受信する処理を行う。すなわち、サーバ装置１０は、通信制御部１０１によって端末装置２０等から受信した情報に基づいて各種処理を行う。特に、本実施形態の通信制御部１０１は、プレーヤ
の端末装置２０からの要求に基づいて、ゲーム画面を、当該プレーヤの端末装置２０に送信する処理を行う。
【００８８】
Ｗｅｂ処理部１０２は、Ｗｅｂサーバとして機能する。例えば、Ｗｅｂ処理部１０２は、ＨＴＴＰ（Ｈｙｐｅｒｔｅｘｔ  Ｔｒａｎｓｆｅｒ  Ｐｒｏｔｏｃｏｌ）等の通信プロトコルを通じて、端末装置２０にインストールされているＷｅｂブラウザ２１１の要求に応じてデータを送信する処理、及び、端末装置２０のＷｅｂブラウザ２１１によって送信されるデータを受信する処理を行う。
【００８９】
なお、本実施形態では、サーバ装置１０がＳＮＳサーバとしての機能も備えていている場合を例に説明するが、サーバ装置１０を、ゲーム用のサーバと、ＳＮＳ用のサーバと別々に形成してもよい。また、本実施形態のゲームの処理は、サーバ装置１０が一部又は全部を行ってもよいし、端末装置２０が一部を行ってもよい。
【００９０】
ゲーム管理部１０３は、端末装置２０と連動し、仮想空間としてのゲーム空間を構築し、当該端末装置２０を介して入力されたプレーヤの操作に基づいて、複数のプレーヤによって対戦すると戦闘若しくは格闘などを行うバトルゲーム、アクションゲーム、ＲＰＧ、音ゲーム、又は、スポーツゲームなどの各種の対戦ゲームに関する各種のゲーム処理を実行する。
【００９１】
また、ゲーム管理部１０３は、対戦ゲームの実行中に、個人間又はグループ間の戦闘などの対戦（以下、「個人間対戦」、又は、「グループ間対戦」という。）に関するゲーム処理を実行する。
【００９２】
移動制御部１０４は、端末装置２０に入力されたゲームに参加するプレーヤの操作入力に応じて、各プレーヤの操作対象となるプレーヤキャラクタ（以下、「対象プレーヤキャラクタ」ともいう。）におけるゲーム空間内における移動を制御する。
【００９３】
ゲーム状況検出部１０５は、進行中のゲームにおいて、
（Ｂ１）ゲーム進行に係る各要素であって、ゲーム開始からの経過時間を示す時間要素、並びに、
（Ｂ２）プレーヤキャラクタ（当該プレーヤキャラクタを操作制御するプレーヤ）の成績、プレーヤキャラクタが対戦するゲームの場合には他のプレーヤキャラクタとの対戦結果などの戦績、残存するプレーヤキャラクタの数や各プレーヤキャラクタの残存する体力値、及び、各プレーヤキャラクタにおけるゲームフィールドの位置関係などの非時間要素、を含むゲームの進行状況を検出する。
【００９４】
エリア設定部１０６は、ゲーム中に、検出されたゲームの進行状況に応じて、ゲームを実行するゲームフィールド（すなわち、ゲーム空間）を、第１ゲームエリアと、当該第１ゲームエリアとは異なる第２ゲームエリアと、に設定するゲームエリア設定処理を実行する。
【００９５】
特に、本実施形態においては、エリア設定部１０６は、ゲーム開始時においてはゲームフィールド全体を第１ゲームエリアに設定し、ゲームの進行状況に応じて第１ゲームエリアの一部を第２ゲームエリアに変換することによって、ゲームフィールドを第１ゲームエリアと第２ゲームエリアに設定する。
【００９６】
表示態様制御部１０７は、第１ゲームエリア内に存在するプレーヤキャラクタ（以下、「第１プレーヤキャラクタ」という。）と、第２ゲームエリアに存在するプレーヤキャラクタ（以下、「第２プレーヤキャラクタ」という。）と、が画像化される際の表示態様を
制御する。
【００９７】
タイマ管理部１０９は、タイマ機能を有し、ゲームの進行状況を管理するために用いる。特に、タイマ管理部１０９は、ゲーム管理部１０３と連動し、現在時刻や予め設定された時刻を各部に出力する。また、タイマ管理部１０９は、各端末装置と同期を取るために用いられる。
【００９８】
情報提供部１１０は、端末装置２０によってゲームを処理させるため各種のゲーム情報を生成して該当する端末装置２０に提供する。
【００９９】
特に、情報提供部１１０は、制約設定処理によって設定されたプレーヤキャラクタを端末装置２０によって制御するための情報（すなわち、ゲーム情報）を生成し、生成したゲーム情報を該当する端末装置２０に提供する。
【０１００】
［３］端末装置
次に、図３を用いて本実施形態の端末装置２０について説明する。なお、図３は、本実施形態における端末装置の構成を示す機能ブロック図の一例である。また、本実施形態の端末装置２０は図３の構成要素（各部）の一部を省略した構成としてもよい。
【０１０１】
入力部２６０は、プレーヤが操作データを入力するためのものであり、その機能は、タッチパネル又はタッチパネル型ディスプレイなどにより実現できる。すなわち、入力部２６０は、画像が表示される画面上における２次元の指示位置座標（ｘ，ｙ）を検出可能な検出部２６２を備えている。例えば、入力部２６０は、接触検出領域（タッチパネル）における、２次元の接触位置座標（ｘ，ｙ）を検出可能な検出部２６２を備えている。
【０１０２】
なお、表示画面（以下、特別な場合を除き「タッチパネル」という。）１２への接触操作は、指先を用いて行うようにしてもよいし、タッチペンなどの入力機器を用いて行うようにしてもよい。
【０１０３】
また、入力部２６０は、指示位置以外の操作情報（操作信号）を入力可能なボタンやレバー、キーボード、ステアリング、マイク、加速度センサなどを備えていてもよい。
【０１０４】
記憶部２７０は、処理部２００や通信部２９６などのワーク領域となるもので、その機能はＲＡＭ（ＶＲＡＭ）などにより実現できる。そして、本実施形態の記憶部２７０は、ワーク領域として使用される主記憶部２７１と、最終的な表示画像等が記憶される画像バッファ２７２と、提供するゲームに関しプレーヤとしてのユーザに関する情報を示すユーザ情報２７３と、テーブルデータなどのゲームを実行する上で必要な各種のデータを記憶するゲームデータ記憶部２７４と、を含む。なお、これらの一部を省略する構成としてもよいし、サーバ装置１０の記憶部１４０がその一部を構成してもよい。
【０１０５】
情報記憶媒体２８０（コンピュータにより読み取り可能な媒体）は、プログラムやデータなどを格納するものであり、その機能は、光ディスク（ＣＤ、ＤＶＤ）、光磁気ディスク（ＭＯ）、磁気ディスク、ハードディスク、磁気テープ、或いはメモリ（ＲＯＭ）などにより実現できる。
【０１０６】
また、情報記憶媒体２８０には、本実施形態の各部としてコンピュータを機能させるためのプログラム（各部の処理をコンピュータに実行させるためのプログラム）を記憶することができる。なお、処理部２００は、後述するように、情報記憶媒体２８０に格納されるプログラム（データ）に基づいて本実施形態の種々の処理を行う。
【０１０７】
表示部２９０は、本実施形態により生成された画像を出力するものであり、その機能は、ＣＲＴ、ＬＣＤ、タッチパネル型ディスプレイ、或いはＨＭＤ（ヘッドマウントディスプレイ）などにより実現できる。
【０１０８】
特に、本実施形態では表示部２９０は、タッチパネルディスプレイを用いることによりプレーヤがゲーム操作を行う入力部２６０としても機能する。ここでタッチパネルとして、例えば抵抗膜方式（４線式、５線式）、静電容量方式、電磁誘導方式、超音波表面弾性波方式、赤外線走査方式などのタッチパネルを用いることができる。
【０１０９】
音出力部２９２は、本実施形態により生成された音を出力するものであり、その機能は、スピーカ、或いはヘッドフォンなどにより実現できる。
【０１１０】
通信部２９６は、外部（例えばホスト装置や他の端末装置）との間で通信を行うための各種制御を行うものであり、その機能は、各種プロセッサ又は通信用ＡＳＩＣなどのハードウェアや、プログラムなどにより実現できる。
【０１１１】
なお、端末装置２０は、サーバ装置１０が有する情報記憶媒体や記憶部２７０に記憶されている本実施形態の各部としてコンピュータを機能させるためのプログラムやデータを、ネットワークを介して受信し、受信したプログラムやデータを情報記憶媒体２８０や記憶部２７０に記憶してもよい。このようにプログラムやデータを受信して端末装置２０を機能させる場合も本発明の範囲内に含めることができる。
【０１１２】
処理部２００（プロセッサ）は、入力部２６０からの入力データやプログラムなどに基づいて、サーバ装置１０と連動して、ゲーム処理、画像生成処理、或いは音生成処理などの処理を行う。
【０１１３】
特に、本実施形態においては、ゲーム処理としては、ゲーム開始条件が満たされた場合にゲームを開始する処理、ゲームを進行させる処理、プレーヤキャラクタ、他のプレーヤキャラクタなどのオブジェクトを配置する処理、オブジェクトを表示する処理、ゲーム結果を演算する処理、或いはゲーム終了条件が満たされた場合にゲームを終了する処理などが含まれる。
【０１１４】
また、処理部２００は、記憶部２７０をワーク領域として各種処理を行う。処理部２００の機能は各種プロセッサ（ＣＰＵ、ＤＳＰ等）、ＡＳＩＣ（ゲートアレイ等）などのハードウェアや、プログラムにより実現できる。
【０１１５】
特に、本実施形態の処理部２００は、オブジェクト空間設定部２１０と、表示制御部２１２、入力受付処理部２１３と、ゲーム制御部２１４と、ゲーム演算部２１５と、仮想カメラ制御部２１６と、ゲーム管理部２１７と、描画部２２０と、音処理部２３０とを含む。また、これらの一部を省略する構成としてもよい。
【０１１６】
オブジェクト空間設定部２１０は、オブジェクト（プレーヤキャラクタ、移動体、他のプレーヤキャラクタ）、移動経路、建物、樹木、柱、壁、マップ（地形）などの表示物を表す各種オブジェクト（スプライト、ビルボード、ポリゴン、自由曲面又はサブディビジョンサーフェスなどのプリミティブ面で構成されるオブジェクト）をオブジェクト空間に配置設定する処理を行う。
【０１１７】
具体的には、オブジェクト空間設定部２１０は、オブジェクト（モデルオブジェクト）の位置や回転角度（向き、方向と同義）を決定し、その位置（Ｘ、Ｙ）或いは（Ｘ、Ｙ、Ｚ）にその回転角度（Ｘ、Ｙ軸回りでの回転角度）或いは（Ｘ、Ｙ、Ｚ軸回りでの回転角
度）でオブジェクトを配置する。
【０１１８】
ここで、オブジェクト空間とは、いわゆる仮想２次元空間、仮想３次元空間の両方を含む。２次元空間とは、例えば２次元座標（Ｘ，Ｙ）においてオブジェクトが配置される空間であり、３次元空間とは、例えば３次元座標（Ｘ，Ｙ，Ｚ）においてオブジェクトが配置される空間である。
【０１１９】
そして、オブジェクト空間を２次元空間とした場合には、複数のオブジェクトそれぞれについて設定された優先順位に基づいてオブジェクトを配置する。例えば、奥側にあるように見せたいオブジェクト（スプライト）から順にオブジェクトを配置し、手前側にあるように見せたいオブジェクトを重ねて配置する処理を行うことができる。
【０１２０】
また、描画サイズが大きなオブジェクトを画像の下方に配置し、描画サイズが小さなオブジェクトを画像の上方に配置すれば、画面の上方に対応するオブジェクト空間が奥側にあるように見せることができ、画面の下方に対応するオブジェクト空間が手前側にあるように見せることができる。
【０１２１】
なお、オブジェクト空間を３次元空間とした場合には、ワールド座標系にオブジェクトを配置する。
【０１２２】
表示制御部２１２は、サーバ装置１０から送信された画像データであって、表示態様が制御されたゲームフィールド内の各プレーヤキャラクタを含めた画像データを表示部２９０に表示させる。
【０１２３】
入力受付処理部２１３は、入力部２６０によって入力されたプレーヤの入力指示を受け付けるとともに、受け付けた入力指示をゲーム制御部２１４、サーバ装置１０、又は、その双方に出力する。
【０１２４】
ゲーム制御部２１４は、サーバ装置１０と連動し、入力受付処理部２１３によって受け付けたコマンドに基づくゲーム処理を実行する。
【０１２５】
特に、ゲーム制御部２１４は、サーバ装置１０から送信されたゲームに関する各種の情報（ゲーム情報、プレーヤキャラクタの移動に関する情報（移動判定に関する情報を含む。）、画像データ）と、入力受付処理部２１３によって受け付けたコマンド（すなわち、入力指示）と、に基づいて、操作対象となるキャラクタ（すなわち、プレーヤキャラクタ）に対する制御、又は、他のプレーヤのプレーヤキャラクタやその他の付随するキャラクタに対する制御を実行する。
【０１２６】
例えば、本実施形態のゲーム制御部２１４は、アクションゲームを含む対戦ゲームやシューティングゲームの場合には、敵キャラクタに対する攻撃や味方キャラクタに対する能力回復などのサポート、又は、シミュレーションゲームの場合には、作物の作成や建物建築などの所定の作業を実行する。
【０１２７】
一方、ゲーム制御部２１４は、オブジェクト空間内における移動体オブジェクト（特に、プレーヤキャラクタや他のプレーヤキャラクタなどのキャラクタオブジェクト）等の操作対象のキャラクタオブジェクトの移動演算を行う。
【０１２８】
すなわち、ゲーム制御部２１４は、サーバ装置１０と連動し、当該サーバ装置１０から送信されたゲーム情報、及び、入力部２６０によりプレーヤが入力した入力データ又はプログラム（移動アルゴリズム）や各種データ（モーションデータ）などに基づいて、移動
体オブジェクトをオブジェクト空間内で移動させ、又は、移動体オブジェクトの動作（モーション、アニメーション）を制御するための処理を行う。
【０１２９】
具体的には、本実施形態のゲーム制御部２１４は、オブジェクトの移動情報（移動方向、移動量、移動速度、位置、回転角度、或いは加速度）や動作情報（各パーツオブジェクトの位置、或いは回転角度）を、１フレーム毎に順次求めるシミュレーション処理を行う。ここでフレームとは、オブジェクトの移動処理、動作処理（シミュレーション処理）や画像生成処理を行う時間の単位である。そして、本実施形態では、フレームレートは、固定としてもよいし、処理負荷に応じて可変としてもよい。
【０１３０】
なお、ゲーム制御部２１４は、３次元のオブジェクト空間において入力方向に基づいてオブジェクトを移動させる処理を実行する。例えば、ゲーム制御部２１４は、予め、入力方向毎に移動方向を対応づけ、入力方向に対応する移動方向にオブジェクトを移動させる。
【０１３１】
また、ゲーム制御部２１４は、サーバ装置１０と連動して実行してもよいし、その一部又は全部がサーバ装置１０に形成されていてもよい。
【０１３２】
ゲーム演算部２１５は、種々のゲーム演算処理を行う。特に、ゲーム演算部２１５は、シューティングゲームの予め定められたオブジェクト空間の形成、マップに基づくオブジェクト空間の形成、ユーザの操作に応じて予め設定されたシナリオに基づくゲームの進行、プレーヤキャラクタ他のプレーヤキャラクタやその他のオブジェクトとの対戦、及び、当該対戦時のパラメータ管理などのゲームを実行する上で必要な演算処理を行う。
【０１３３】
なお、ゲーム演算部２１５は、サーバ装置１０と連動して実行するが、その一部又は全部がサーバ装置１０に形成されていてもよい。
【０１３４】
仮想カメラ制御部２１６は、所与の視点から見えるゲーム空間の画像であって、奥行きがあるように見える画像を生成する。この場合に、仮想カメラ制御部２１６が、オブジェクト空間内の所与（任意）の視点から見える画像を生成するための仮想カメラ（視点）の制御処理を行う。具体的には、仮想カメラの位置（Ｘ、Ｙ、Ｚ）又は回転角度（Ｘ、Ｙ、Ｚ軸回りでの回転角度）を制御する処理（視点位置や視線方向を制御する処理）を行う。
【０１３５】
例えば、仮想カメラによりオブジェクト（例えば、キャラクタ、ボール、車）を後方から撮影する場合には、オブジェクトの位置又は回転の変化に仮想カメラが追従するように、仮想カメラの位置又は回転角度（仮想カメラの向き）を制御する。
【０１３６】
この場合には、ゲーム制御部２１４で得られたオブジェクトの位置、回転角度又は速度などの情報に基づいて、仮想カメラを制御できる。或いは、仮想カメラを、予め決められた回転角度で回転させたり、予め決められた移動経路で移動させる制御を行ってもよい。また、この場合には、仮想カメラの位置（移動経路）又は回転角度を特定するための仮想カメラデータに基づいて仮想カメラを制御する。
【０１３７】
なお、仮想カメラをプレーヤキャラクタの視点として設定してもよい。また、仮想カメラ（視点）が複数存在する場合には、それぞれの仮想カメラについて上記の制御処理が行われる。
【０１３８】
ゲーム管理部２１７は、サーバ装置１０と連動し、入力部２６０を介して入力されたプレーヤの操作に基づいて、各プレーヤにおいて対戦ゲーム等のゲームに使用するプレーヤキャラクタ及び各種のアイテムを設定し、ユーザ情報２７３に登録する。
【０１３９】
描画部２２０は、サーバ装置１０から送信された画像生成に関する各種の情報、及び、処理部２００で行われる種々の処理（ゲーム処理）の結果に基づいて描画処理を行い、これにより画像を生成し、表示部（ディスプレイ）２９０に出力する。
【０１４０】
特に、描画部２２０が生成する画像は、いわゆる２次元画像であってもよいし、いわゆる３次元画像であってもよい。特に、描画部２２０は、オブジェクト空間における仮想カメラから見える画像であって、画面上に表示する画像を生成する。
【０１４１】
ここで、２次元画像を生成する場合には、描画部２２０は、設定された優先度が低いオブジェクトから順に描画して、オブジェクト同士が重なる場合には、優先度の高いオブジェクトを上書きして描画する。
【０１４２】
また、３次元画像を生成する場合には、本実施形態の描画部２２０は、まずオブジェクト（モデル）の各頂点の頂点データ（頂点の位置座標、テクスチャ座標、色データ、法線ベクトル或いはα値等）を含むオブジェクトデータ（モデルデータ）が入力され、入力されたオブジェクトデータに含まれる頂点データに基づいて、頂点処理が行われる。なお、頂点処理を行うに際して、必要に応じてポリゴンを再分割するための頂点生成処理（テッセレーション、曲面分割、ポリゴン分割）を行うようにしてもよい。 
【０１４３】
また、頂点処理では、頂点の移動処理や、座標変換（ワールド座標変換、カメラ座標変換）、クリッピング処理、透視変換、あるいは光源処理等のジオメトリ処理が行われ、その処理結果に基づいて、オブジェクトを構成する頂点群について与えられた頂点データを変更（更新、調整）する。そして、頂点処理後の頂点データに基づいてラスタライズ（走査変換）が行われ、ポリゴン（プリミティブ）の面とピクセルとが対応づけられる。そしてラスタライズに続いて、画像を構成するピクセル（表示画面を構成するフラグメント）を描画するピクセル処理（フラグメント処理）が行われる。
【０１４４】
ピクセル処理では、テクスチャの読出し（テクスチャマッピング）、色データの設定／変更、半透明合成、アンチエイリアス等の各種処理を行って、画像を構成するピクセルの最終的な描画色を決定し、透視変換されたオブジェクトの描画色を画像バッファ２７２（フレームバッファ、ピクセル単位で画像情報を記憶できるバッファ。ＶＲＡＭ、レンダリングターゲット）に出力（描画）する。すなわち、ピクセル処理では、画像情報（色、法線、輝度、α値等）をピクセル単位で設定あるいは変更するパーピクセル処理を行う。
【０１４５】
これにより、オブジェクト空間内に設定された仮想カメラ（所与の視点）から見える画像が生成される。なお、仮想カメラ（視点）が複数存在する場合には、それぞれの仮想カメラから見える画像を分割画像として１画面に表示できるように画像を生成することができる。
【０１４６】
なお、描画部２２０が行う頂点処理やピクセル処理は、シェーディング言語によって記述されたシェーダプログラムによって、ポリゴン（プリミティブ）の描画処理をプログラム可能にするハードウェア、いわゆるプログラマブルシェーダ（頂点シェーダやピクセルシェーダ）により実現されてもよい。プログラマブルシェーダでは、頂点単位の処理やピクセル単位の処理がプログラム可能になることで描画処理内容の自由度が高く、ハードウェアによる固定的な描画処理に比べて表現力を大幅に向上させることができる。
【０１４７】
ロックオン処理部２１８は、ゲーム空間に登場する複数のオブジェクトの中から、プレーヤキャラクタからの距離が近いオブジェクトを優先的に選定する条件や照準を合わせた際のその中心軸から近いオブジェクトを優先的に選定する条件などのロックオン条件を具
備するオブジェクトを選定対象として決定（ロックオン）するロックオン処理を実行する。
【０１４８】
そして、描画部２２０は、オブジェクトを描画する際に、ジオメトリ処理、テクスチャマッピング、隠面消去処理、αブレンディング等を行う。
【０１４９】
ジオメトリ処理では、オブジェクトに対して、座標変換、クリッピング処理、透視投影変換、或いは光源計算等の処理を行う。そして、ジオメトリ処理後（透視投影変換後）のオブジェクトデータ（オブジェクトの頂点の位置座標、テクスチャ座標、色データ（輝度データ）、法線ベクトル、或いはα値等）を記憶部２７０に記憶する。
【０１５０】
テクスチャマッピングでは、記憶部２７０のテクスチャ記憶部に記憶されるテクスチャ（テクセル値）をオブジェクトにマッピングする処理を行う。具体的には、オブジェクトの頂点に設定（付与）されるテクスチャ座標等を用いて記憶部２７０のテクスチャ記憶部からテクスチャ（色（ＲＧＢ）、α値などの表面プロパティ）を読み出し、２次元の画像であるテクスチャをオブジェクトにマッピングする。この場合に、ピクセルとテクセルとを対応づける処理や、テクセルの補間としてバイリニア補間などを行う。
【０１５１】
なお、本実施形態では、オブジェクトを描画する際に、所与のテクスチャをマッピングする処理を行うようにしてもよい。この場合には、マッピングされるテクスチャの色分布（テクセルパターン）を動的に変化させることができる。
【０１５２】
また、この場合において、色分布（ピクセルパターン）が異なるテクスチャを動的に生成してもよいし、複数の色分布が異なるテクスチャを予め用意しておき、使用するテクスチャを動的に切り替えるようにしてもよい。またオブジェクト単位でテクスチャの色分布を変化させてもよい。
【０１５３】
隠面消去処理では、描画ピクセルのＺ値（奥行き情報）が格納されるＺバッファ（奥行きバッファ）を用いたＺバッファ法（奥行き比較法、Ｚテスト）による隠面消去処理を行う。すなわち、オブジェクトのプリミティブに対応する描画ピクセルを描画する際に、Ｚバッファに格納されるＺ値を参照するとともに、当該参照されたＺバッファのＺ値と、プリミティブの描画ピクセルでのＺ値とを比較し、描画ピクセルでのＺ値が、仮想カメラから見て手前側となるＺ値（例えば小さなＺ値）である場合には、その描画ピクセルの描画処理を行うとともにＺバッファのＺ値を新たなＺ値に更新する。
【０１５４】
αブレンディング（α合成）では、描画部２２０は、α値（Ａ値）に基づく半透明合成処理（通常αブレンディング、加算αブレンディング又は減算αブレンディング等）を行う。なお、α値は、各ピクセル（テクセル、ドット）に関連づけて記憶できる情報であり、例えば色情報以外のプラスアルファの情報である。α値は、マスク情報、半透明度（透明度、不透明度と等価）、バンプ情報などとして使用できる。
【０１５５】
そして、本実施形態での描画部２２０は、接触検出領域に対応する表示領域に表示させる画像を生成してもよい。表示領域に表示させる画像とは、例えばオブジェクトを含む画像でもよい。
【０１５６】
音処理部２３０は、処理部２００で行われる種々の処理の結果に基づいて音処理を行い、ＢＧＭ、効果音、又は音声などのゲーム音を生成し、音出力部２９２に出力する。
【０１５７】
［４］本実施形態の手法
［４．１］概要
次に、図４及び図５を用いて本実施形態の手法（ゲームエリア変換処理を含む表示態様制御処理）の概要について説明する。なお、図４及び図５は、本実施形態におけるゲームエリア変換処理を含む表示態様制御処理を説明するための図である。
【０１５８】
本実施形態のサーバ装置１０は、各プレーヤが操作する端末装置２０と連動し、例えば、１つのゲーム空間（すなわち、仮想３次元空間によるゲームフィールド）を形成するとともに、当該ゲームフィールド内において、各プレーヤがそれぞれ操作制御する複数のプレーヤキャラクタによってシューティングゲームやアクションゲームなどの対戦ゲームを実行する構成を有している。
【０１５９】
また、サーバ装置１０は、仮想空間上に形成されたゲームフィールド内を複数のプレーヤキャラクタが移動してゲームを実行し、画像化したゲーム空間の画像（以下、「ゲーム画像」ともいう。）を含む当該ゲームに関する情報を端末装置２０に提供する構成を有している。
【０１６０】
そして、サーバ装置１０は、
（１）対戦ゲーム中のゲームの進行状況に応じて、ゲームフィールドを第１ゲームエリアと第２ゲームエリアとに設定しつつ、
（２）アイテムの獲得や能力のレベルアップなどによって、ゲームの進行状況やプレーヤの操作意図に応じて反映されている各プレーヤキャラクタの表示態様を、第１ゲームエリアに存在するか又は第２ゲームエリアに存在するかに応じて変える表示態様制御処理を実行する、
構成を有している。
【０１６１】
特に、サーバ装置１０は、表示態様制御処理において、第１ゲームエリアに存在する第１プレーヤキャラクタを操作するプレーヤ（以下、「第１プレーヤ」という。）の端末装置２０に、第２ゲームエリアに存在する第２プレーヤキャラクタを表示させる際に、第２プレーヤキャラクタを操作するプレーヤ（以下、「第２プレーヤ」という。）の端末装置２０に第１プレーヤキャラクタを表示する表示態様と異なる表示態様に制御する構成を有している。
【０１６２】
具体的には、サーバ装置１０は、
（Ａ１）ゲームの進行状況に応じて、ゲームフィールドを、第１ゲームエリアと、当該第１ゲームエリアとは異なる第２ゲームエリアとに設定するゲームエリア設定処理、
（Ａ２）第１ゲームエリア内に存在する第１プレーヤキャラクタと、第２ゲームエリアに存在する第２プレーヤキャラクタと、が画像化される際の表示態様を制御する表示態様制御処理、
（Ａ３）仮想空間内をゲーム画像として画像化し、前記制御された各プレーヤキャラクタの表示態様を含む、当該ゲーム画像を端末装置２０に提供するための画像データを生成する画像生成処理、及び、
（Ａ４）生成した画像データを該当する端末装置２０に提供する提供処理、
を実行する構成を有している。
【０１６３】
そして、サーバ装置１０は、表示態様制御処理においては、第１プレーヤの端末装置２０に、第２プレーヤキャラクタを第１の表示態様によって表示させ、第２プレーヤの端末装置２０に、第１プレーヤキャラクタを第１の表示態様とは異なる第２の表示態様によって表示させる処理を実行する構成を有している。
【０１６４】
特に、サーバ装置１０は、第２ゲームエリアを、プレーヤキャラクタが存在した場合にプレーやプレーヤキャラクタに対してペナルティを課すペナルティエリアとして機能させ
るようになっている。
【０１６５】
そして、サーバ装置１０は、表示態様制御処理において、
（Ｂ１）第１ゲームエリアＡ１０に存在する第１プレーヤキャラクタを、ゲーム上の設定及びゲーム空間の環境に基づきつつ、プレーヤの意図が反映され、当該プレーヤの指示に基づいて設定された表示態様（すなわち、ゲームの環境に従って表示される特別な表示加工のない通常の表示態様）によって表示制御し、かつ、
（Ｂ２）第１プレーヤの端末装置２０に第２ゲームエリアに存在する第２プレーヤキャラクタを表示する際に、当該第２プレーヤキャラクタの表示態様を第２プレーヤに対して不利益が与えられる表示態様（すなわち、特別な表示加工がされた表示態様）に制御する構成を有している。
【０１６６】
例えば、サーバ装置１０は、図４及び図５に示すように、
（Ｃ１）第１プレーヤの端末装置２０においてペナルティエリアなどの第２ゲームエリアＡ２０に存在する第２プレーヤキャラクタＰ２を表示する場合には、当該第２プレーヤキャラクタＰ２を第１プレーヤに視認可能に表示させ、若しくは、強調表示させ、
（Ｃ２）第２プレーヤの端末装置２０において第１ゲームエリアＡ１０などのペナルティ外のエリアに存在する第１プレーヤキャラクタＰ１を表示する場合には、当該第１プレーヤキャラクタＰ１を第２プレーヤに認識不能に設定し、若しくは、認識困難に表示させる、
ようになっている。
【０１６７】
なお、図４（Ａ）及び（Ｂ）には、第１プレーヤキャラクタＰ１の位置に第１プレーヤ用の仮想カメラＶＣ１０を配置することによって第２プレーヤキャラクタＰ２を含む第２ゲームエリアＡ２０を第１プレーヤの端末装置２０に画像化して表示する場合、及び、第２プレーヤキャラクタＰ２の位置に第２プレーヤ用の仮想カメラを配置することによって第１プレーヤキャラクタＰ１を含む第１ゲームエリアＡ１０を第２プレーヤの端末装置２０に画像化して表示する場合における表示態様制御処理を説明するための例が示されている。
【０１６８】
また、図５（Ａ）には、ゲーム空間を第１プレーヤキャラクタＰ１の斜め上方から画像化した場合に第１プレーヤの端末装置２０に表示されるゲーム画像であって、第２プレーヤキャラクタが強調表示されている例が示されている。
【０１６９】
また、図５（Ｂ）には、ゲーム空間を第２プレーヤキャラクタＰ２の斜め上方から画像化した場合に第２プレーヤの端末装置２０に表示されるゲーム画像であって、第１プレーヤキャラクタが認識不能となっている例（図面上は点線で表記してあるが、実際は可視化されていない）が示されている。
【０１７０】
この構成により、本実施形態においては、例えば、ペナルティエリアなどの第２ゲームエリアに存在するプレーヤキャラクタに対する不利益を与えることによって、心理的に、ペナルティエリア内に滞在することを回避させてペナルティエリア外などの第１ゲームエリアに誘導することができるようになっている。
【０１７１】
そして、本実施形態の本発明は、例えば、第１ゲームエリアを徐々に小さくすれば、プレーヤキャラクタの活動範囲が狭くなることができるので、当該プレーヤキャラクタ同士の数多くの対戦の機会を創出することができるなど、エリアに基づく表示態様を制御することによって、ゲームを活性化させること、及び、その興趣性を向上させることができるようになっている。
【０１７２】
また、本実施形態においては、例えば、第２ゲームエリアに存在することに基づく不利益を享受しつつも、一律に第１ゲームエリアに移動せずに、敢えて第２ゲームエリアから攻撃をすることもできるので、各プレーヤにおける自由度の高いゲーム戦略を構築させること、及び、その結果、ゲームを興趣する際の広げてその魅力を向上させることができるようになっている。
【０１７３】
このため、本実施形態においては、第２ゲームエリアを用いた対戦の実施など、各プレーヤにおける自由度の高いゲーム戦略を構築させることができるので、ゲームを興趣する際の広げてその魅力を向上させることができるようになっている。
【０１７４】
なお、本実施形態においては、ゲームエリア設定処理に関しては、当初のゲームフィールドを第１ゲームエリアに設定し、その後に当該第１ゲームエリアの一部を第２ゲームエリアに変換する変換処理（以下、「ゲームエリア変換処理」という。）を用いて説明する。
【０１７５】
また、本実施形態においては、プレーヤキャラクタは、プレーヤによって操作されるキャラクタであってもよいし、プログラムなどのゲーム処理に従って制御され、プレーヤによって操  
作されないＮＰＣ（ノンプレーヤキャラクタ）であってもよい。
【０１７６】
［４．２］ゲームエリア変換処理
次に、図６及び図７を用いて本実施形態のゲームの進行状況に応じて実行されるゲームエリア変換処理について説明する。なお、図６及び図７は、本実施形態のゲームの進行状況に応じて実行されるゲームエリア変換処理を説明するための図である。
【０１７７】
（ゲームの進行状況の検出）
ゲーム状況検出部１０５は、ゲームの進行中において、ゲームの経過時間などの時間要素、当該時間要素とは異なるゲームに係る非時間要素、又は、その双方を検出する。
【０１７８】
具体的には、ゲーム状況検出部１０５は、
（Ａ１）タイマ１０９と連動し、ゲーム開始から所定の時間経過したタイミング（５分経過する毎）を時間要素として検出し、
（Ａ２）所与のタイミングにおいて、各プレーヤにおけるプレーヤ情報をプレーヤ情報記憶部１４６から読み出し、読み出した情報に基づいて、プレーヤキャラクタのゲームに関する成績を示す要素、プレーヤキャラクタにおける戦績を示す要素、及び、プレーヤキャラクタのゲームフィールド内における位置に基づく要素の少なくともいずれか一方のゲーム要素を非時間要素として検出し、又は、
（Ａ３）その双方を検出する。
【０１７９】
特に、ゲーム状況検出部１０５は、（Ａ２）の非時間要素として、読み出したプレーヤ情報に含まれる所属情報及び各プレーヤキャラクタ（すなわち、各プレーヤ）のゲームに関する成績情報に基づいて、
（Ａ２−１）最高順位のプレーヤキャラクタの得点、若しくは、最高順位のチームの得点を特定し、又は、
（Ａ２−２）各プレーヤ及び各チームの個人順位若しくはチーム順位を特定しつつ、特定の順位間（例えば、最高順位と２位、又は、最高順位と最低順位間）の得点差を特定し、特定した情報などを、プレーヤキャラクタのゲームに関する成績を示す要素として、検出する。
【０１８０】
なお、ゲーム状況検出部１０５は、読み出したプレーヤ情報に含まれる各プレーヤキャ
ラクタにおける属性情報及び成績情報、又は、属性情報、戦績情報及び成績情報に基づいて、
（Ｂ１）最高順位のプレーキャラクタの勝数、
（Ｂ２）各プレーヤキャラクタにおける対戦よって退けたプレーヤキャラクタ（又は敵キャラクタ）の数、又は、
（Ｂ３）特定のプレーヤキャラクタやゲームフィールドに出現したプレーヤキャラクタ以外の特定のプレーヤキャラクが敗退した場合、
などの情報を、プレーヤキャラクタにおける戦績を示す要素として、検出してもよい。
【０１８１】
また、ゲーム状況検出部１０５は、成績情報及び戦績情報の少なくともいずれか一方とともに、少なくとも１のプレーヤキャラクタの位置又は複数のプレーヤキャラクタの位置に基づく要素の状況を検出してもよい。
【０１８２】
例えば、ゲーム状況検出部１０５は、少なくとも１のプレーヤキャラクタの位置若しくは複数のプレーヤキャラクタの位置、又は、これらの位置に基づく要素として、
（Ｃ１）ゲームフィールドの所定のエリア内におけるプレーヤキャラクタの密集度、若しくは、ゲームフィールドを複数のエリアに分割した場合における密集度の平均、
（Ｃ２）ゲームフィールドの所定のエリア内における対戦が発生した対戦発生数、若しくは、ゲームフィールドを複数のエリアに分割した場合における対戦数の平均、
（Ｃ３）ゲームフィールドの所定のエリア内において、所定の期間ゲームフィールド内を移動しないプレーヤキャラクタの割合（膠着度）若しくは、ゲームフィールドを複数のエリアに分割した場合における所定の期間ゲームフィールド内を移動しないプレーヤキャラクタの割合（膠着度）の平均、
（Ｃ４）ゲームフィールドの所定のエリア内において、チーム戦の戦果を上げているチーム（勝利数が多いなど）の割合、特定の敵キャラクタを倒したことがあるか無いか、若しくは、ゲームフィールドを複数のエリアに分割した場合における当該割合のチーム戦の戦果を上げているチームの割合の平均、又は、
（Ｃ５）プレーヤキャララクタが存在しないエリアの出現、
などの情報を検出する。
【０１８３】
（ゲームエリア変換処理の原理）
エリア設定部１０６は、上述のように、ゲーム中に、検出されたゲームの進行状況に応じて、ゲームフィールドとしての第１ゲームエリアを、第２ゲームエリアに変換するゲームエリア変換処理を実行する。
【０１８４】
具体的には、エリア設定部１０６は、
（Ｄ１）ゲーム開始時にゲームを実行するゲームフィールド（すなわち、ゲーム空間）を第１ゲームエリアに設定し、
（Ｄ２）ゲームの進行状況に応じて第１ゲームエリアを徐々に第２ゲームエリアに変換する。
【０１８５】
例えば、エリア設定部１０６は、一定の時間が経過する毎に、一定の割合の第１ゲームエリアを第２ゲームエリアに変換してもよいし、検出されたゲームの進行状況に応じて、第１ゲームエリアの変化割合を決定し、決定した変化割合に基づいて、既に設定されている第１ゲームエリアの範囲を第２ゲームエリアに変化させてもよい。
【０１８６】
なお、エリア設定部１０６は、ゲームエリア変換処理として、検出されたゲームの進行状況に応じて、第１ゲームエリアの範囲を変化（例えば、変形、移動、これらの組み合わせ及び、これらと縮小の組み合わせ）させて当該第１ゲームエリア外を第２ゲームエリアとして設定してもよい。
【０１８７】
また、エリア設定部１０６は、例えば、第１ゲームエリアを、
（Ｅ１）成績やレベルなどが高いプレーヤキャラクタ（チームを含む。以下同じ。）や数多くの戦果を上げているプレーヤキャラクタの移動が必須となるゲームエリア、若しくは、当該プレーヤキャラクタの苦手のエリア（例えば、地形的に、環境的に又は能力的に苦手のエリア）など当該プレーヤが不利となるゲームエリアに含めること、
（Ｅ２）成績やレベルなどが低い下位のプレーヤキャラクタや戦果の数が少ないプレーヤキャラクタの移動が必要とならないゲームエリア、若しくは、当該プレーヤキャラクタの得意なエリア（例えば、地形的に、環境的に又は能力的に得意なエリア）など当該のプレーヤが得意となるゲームエリアに含めること、
（Ｅ３）プレーヤキャラクタが密集しているゲームエリアや数多くの接触が発生しているゲームエリア以外のエリアに含めること、又は、
（Ｅ４）プレーヤキャラクタ間の接触が膠着しているゲームエリアに含めること、
などの設定条件に基づいて、検出されたゲームの進行状況に応じて、第１ゲームエリアの一部を、第２ゲームエリアに変換してもよい。
【０１８８】
例えば、エリア設定部１０６は、上述のように検出されたゲームの進行状況に応じて、第１ゲームエリアとして、既に設定されている範囲から縮小されたエリアを設定し、第２ゲームエリアとして、既に設定されている範囲から拡大されたエリアを設定する。
【０１８９】
特に、エリア設定部１０６は、検出されたゲームの進行状況に応じて、段階的に、第１ゲームエリアの範囲を既に設定されている範囲から縮小する（すなわち、第２ゲームエリアの範囲を既に設定されている範囲から拡大する）。
【０１９０】
例えば、上述のように、非時間要素としてのゲームに関する成績情報を用いる場合には、エリア設定部１０６は、図６（Ａ）、（Ｂ）及び（Ｃ）に示すように、最高順位のプレーヤキャラクタの得点が所定の得点（例えば１０００００点）に到達し、その後、所定の点数（例えば、１００００点）が加算される毎に、徐々に、ゲームフィールドの外側から内側に向かって第１ゲームエリアが徐々に小さくなるように、当該第１ゲームエリアの一部を第２ゲームエリアに変換する。
【０１９１】
また、例えば、上述のように、非時間要素としての位置情報又は位置履歴情報を用いる場合には、エリア設定部１０６は、図７（Ａ）に示すように、ゲームフィールドの所定のエリア内におけるプレーヤキャラクタの密集度が所定の密集度（例えば、２０％以下）に到達すると、図７（Ｂ）に示すように、ゲームフィールドの外側から内側に向かって第１ゲームエリアが徐々に小さくなるように、当該第１ゲームエリアの一部を第２ゲームエリアに変換する。
【０１９２】
なお、この場合には、エリア設定部１０６は、その後、所定のエリアの密集度が減少する毎（例えば、３％ずつ減少する場合）に、徐々に、ゲームフィールドの外側から内側に向かって第１ゲームエリアが徐々に小さくなるように、当該第１ゲームエリアの一部を第２ゲームエリアに変換する。
【０１９３】
また、本実施形態においては、ゲームフィールド、第１ゲームエリア及び第２ゲームエリアは、連続して形成されているエリアであってもよいし、飛び地的な複数の不連続なエリアによって形成されていてもよい。
【０１９４】
［４．３］表示態様制御処理
次に、図８〜図１１を用いて本実施形態の表示態様制御処理について説明する。なお、図８及び図９は、本実施形態における表示態様制御処理（境界オブジェクトの配置制御及
び特性制御）を説明するための図であり、図１０及び図１１は、本実施形態における表示態様制御処理（プレーヤキャラクの表示加工処理）を説明するための図である。
【０１９５】
（表示態様制御処理の原理）
表示態様制御部１０７は、表示態様制御処理として、ゲーム空間が画像化されたゲーム画像のデータ（すなわち、画像データ）が提供されるプレーヤの種別に応じて、第１ゲームエリア内に存在する第１プレーヤキャラクタと、第２ゲームエリアに存在する第２プレーヤキャラクタと、が画像化される際の表示態様を制御する。
【０１９６】
すなわち、表示態様制御部１０７は、
（Ａ１）第１プレーヤキャラクタを操作する第１プレーヤの端末装置２０に、第２プレーヤキャラクタを、第１の表示態様によって表示させるとともに、
（Ａ２）第２プレーヤキャラクタを操作する第２プレーヤの端末装置２０に、第１プレーヤキャラクタを、第１の表示態様とは異なる第２の表示態様によって表示させる、
表示態様制御処理を実行する。
【０１９７】
特に、表示態様制御部１０７は、画像データが提供されるプレーヤの種別、及び、プレーヤキャラクタが第１ゲームエリアに存在するか又は第２ゲームエリアに存在するかに応じて、アイテムの獲得やプレーヤキャラクタの能力のレベルアップなどによってゲームの進行状況やプレーヤの操作意図に基づいて反映されている各プレーヤキャラクタの表示態様を、プレーヤに有利又は不利となる表示態様に変更する。
【０１９８】
具体的には、表示態様制御部１０７は、第１プレーヤの端末装置２０においてペナルティエリアなどの第２ゲームエリアに存在する第２プレーヤキャラクタを表示する場合には、当該第２プレーヤキャラクタを第１プレーヤに視認可能に表示させ、若しくは、強調表示させるなどペナルティ的な表示態様（以下、「ペナルティ表示態様」ともいう。）によって表示態様制御処理を実行する。
【０１９９】
その一方、表示態様制御部１０７は、第２プレーヤの端末装置２０において第１ゲームエリアなどのペナルティ外のエリアに存在する第１プレーヤキャラクタを表示する場合には、当該第１プレーヤキャラクタを第２プレーヤに認識不能に設定し、若しくは、認識困難に表示させる。
【０２００】
そして、表示態様制御部１０７は、表示態様制御処理としては、例えば、
（Ｂ１）第１ゲームエリアと第２ゲームエリアとの境界に境界オブジェクトを配置制御し、その特性を変化させる処理、又は、
（Ｂ２）第１ゲームエリアと第２ゲームエリアとの境界を超えて他のゲームエリアに属するゲーム空間を画像化する際に当該他のゲームエリアに存在するプレーヤキャラクタの表示態様を制御する処理、
によって実現する。
【０２０１】
（表示態様制御処理の具体例１：境界オブジェクトの配置制御及び特性制御）
表示態様制御部１０７は、第１ゲームエリア及び第２ゲームエリアの境界に境界オブジェクトを配置制御し、当該境界オブジェクトを用いて表示態様制御処理を実行してもよい。
【０２０２】
特に、表示態様制御部１０７は、ゲーム空間を構築するオブジェクトの概念を用いてプレーヤキャラクタの表示態様の制御を実行し、複雑な処理をすることなく、例えば、第２ゲームエリアに存在する第２プレーヤキャラクタを不利にし、又は、第１ゲームエリアに存在する第１プレーヤキャラクタを有利にする表示態様に制御する。
【０２０３】
具体的には、表示態様制御部１０７は、境界オブジェクトを通してゲーム空間内のプレーヤキャラクタが画像化される際に、画像化されるプレーヤキャラクタが存在するゲームエリアの種別と、当該画像化されたゲーム画像が提供される端末装置２０を使用するプレーヤの種別と、に応じて、当該境界オブジェクトの境界面における特性を変化させて当該各プレーヤキャラクタの表示態様を制御する。
【０２０４】
すなわち、境界オブジェクトは、仮想カメラなどによって境界オブジェクトを通して仮想空間内のプレーヤキャラクタが画像化される際に、プレーヤキャラクタの表示態様を制御するための特性を有する境界面によって形成されており、表示態様制御部１０７は、境界面の特性を制御することによって、表示態様制御処理を実行する。
【０２０５】
また、表示態様制御部１０７は、上記のゲームエリアの種別及びプレーヤの種別に応じて、第１ゲームエリア及び第２ゲームエリアの境界面の透明度、当該境界面の色（ＲＧＢ）、及び、当該境界面を介して対象のオブジェクトを画像化した際に当該オブジェクトそのもの又は輪郭を強調表示するための性質などの境界面の特性を制御する。
【０２０６】
例えば、表示態様制御部１０７は、図８に示すように、第１ゲームエリアＡ１０と第２ゲームエリアＡ２０との境界面に、マジックミラーのような、第１ゲームエリア側から第２ゲームエリア側に向かって透明（透明度１００％）な特性を有する可視化面と、第２ゲームエリア側から第１ゲームエリア側に向かって不透明（透明度０％）な特性を有する不可視仮面と、から形成される境界オブジェクトＢ１０を配置制御する。
【０２０７】
なお、境界面の特性については、上述のように、境界面全体として１の特性を有していてもよいが、境界面が複数に分割された分割領域によって形成されており、個々の分割領域を制御することによって当該特性を制御してもよい。
【０２０８】
この場合には、表示態様制御部１０７は、例えば、プレーヤに基づく操作に応じて分割領域を個々に制御し、又は、常に一部の分割領域にのみ適用するなど、プレーヤキャラクタの部分毎に表示態様を制御し、当該個々の分割領域の変化において対戦ゲームと連動させるための制御を実行する。
【０２０９】
具体的には、この場合には、境界オブジェクトの第１ゲームエリア及び前記第２ゲームエリアの境界面に沿った面が、複数に分割された分割領域によって形成されている。
【０２１０】
そして、表示態様制御部１０７は、境界オブジェクトを通してゲーム間内のプレーヤキャラクタが画像化される際に、画像化されるプレーヤキャラクタの種別と、当該画像化されたゲーム画像が提供される端末装置２０を用いるプレーヤの種別と、に応じて、各分割領域を制御して当該境界オブジェクトの特性を変化させる制御を実行する。
【０２１１】
また、表示態様制御部１０７は、分割領域毎にパラメータを設定し、画像化されるプレーヤキャラクタの種別と、当該画像化されたゲーム画像が提供される端末装置２０を用いるプレーヤの種別と、に応じて当該各パラメータを制御することによって各分割領域を制御する。
【０２１２】
さらに、表示態様制御部１０７は、分割領域の制御としては、各分割領域における透明度（グレースケール）の制御、色（ＲＧＢ）の制御、サイズの制御、及び、形の制御を実行する。
【０２１３】
そして、表示態様制御部  １０７は、分割領域の制御としては、これらに代えて、又は
、これらに加えて、分割領域毎に、対象物となるオブジェクト（プレーヤキャラクタを含む。）の種別に応じた当該オブジェクトそのもの又は輪郭の強調制御などを実行する。
【０２１４】
例えば、表示態様制御部１０７は、図９（Ａ）に示すように、第１ゲームエリアＡ１０と第２ゲームエリアＡ２０との境界面に、マジックミラーのような第１ゲームエリアＡ１０側から第２ゲームエリアＡ２０側に向かって透明であり、かつ、第２ゲームエリアＡ２０側から第１ゲームエリアＡ１０側に向かって不透明なオブジェクトであって、例えば、正方形などの所定のサイズの矩形の領域によって複数に分割された境界オブジェクト３００を配置制御する。
【０２１５】
この場合には、表示態様制御部１０７は、第２プレーヤキャラクタＰ２の条件に従って第１プレーヤだけでなく第２プレーヤも有利にするため、複数の矩形の領域（以下、「分割領域」ともいう。）Ｂ２０毎に設定されているパラメータをゲームの進行状況に応じて個々に制御し、第２ゲームエリアＡ２０側から第１ゲームエリアＡ１０側に向かって各分割領域の透明度（グレースケール）の制御、色（ＲＧＢ）の制御、サイズの制御、及び、形の制御を実行する。
【０２１６】
特に、表示態様制御部１０７は、図９（Ｂ）に示すように、第２ゲームエリアに設定されてから所定の時間経過した場合などの所与の条件に応じて、該当する分割領域の不可視化面の透明度などの特性を制御する。
【０２１７】
また、図９（Ｂ）には、所与の条件（例えば、第２ゲームエリアに設定されてから５分経過後）を具備した際に、境界オブジェクトＢ１０の９つの分割領域Ｂ２０のうち、中段の分割領域の透明度を５０％、及び、上段と下段の分割領域の透明度を１０％にした場合の例が示されている。
【０２１８】
（表示態様制御処理の具体例２：プレーヤキャラクの表示加工処理）
表示態様制御部１０７は、画像化されたプレーヤキャラクタに対して当該プレーヤキャラクタの所在を強調すべきオブジェクトを重畳表示することによってプレーヤキャラクタの表示を加工する処理（すなわち、表示加工処理）を実行し、プレーヤキャラクタ（特に、第２プレーヤキャラクタ）の表示態様を制御してもよい。
【０２１９】
特に、表示態様制御部１０７は、マーキングなどの画像処理的にプレーヤキャラクタの表示態様の制御を実行し、複雑な処理をすることなく第２ゲームエリアに存在するプレーヤを表示態様によって不利にする表示態様に制御する。
【０２２０】
具体的には、表示態様制御部１０７は、第１の表示態様として、第２プレーヤキャラクタを画像化する際に、当該第２プレーヤキャラクタをマーキングするためのマーキングオブジェクトを該当する第２プレーヤキャラクタに重畳することによって、表示態様を制御する。
【０２２１】
また、表示態様制御部１０７は、図１０に示すように、マーキングオブジェクトとして（Ｂ１）単に発光体的なオブジェクト、又は、
（Ｂ２）パラメータ（例えば体力値）に関する情報、ライフ数や残基に関する情報、若しくは、装備・アイテム・能力などのプレーヤ若しくはプレーヤキャラクの特性に関する情報を表示するためのオブジェクト、
を用いる。
【０２２２】
なお、図１０（Ａ）には、第１プレーヤの端末装置２０に、発光している第２プレーヤキャラクタが表示されている場合が示されており、図１０（Ｂ）には、第１プレーヤの端
末装置２０において、残りの体力値のパラメータの情報がオブジェクトとして表示されている場合が示されている。
【０２２３】
（第３プレーヤキャラクタの表示態様制御処理）
表示態様制御部１０７は、第１プレーヤキャラクタを操作する第１プレーヤ又は第２プレーヤキャラクタを操作する第２プレーヤの端末装置２０に、第１プレーヤキャラクタ及び第２プレーヤキャラクタとは異なる第３プレーヤキャラクタを、第１の表示態様及び第２の表示態様と異なる第３の表示態様によって表示させる表示態様制御処理を実行してもよい。
【０２２４】
すなわち、表示態様制御部１０７は、第１ゲームエリアに存在する他のプレーヤキャラクタや第２ゲームエリアに存在する他のプレーヤキャラクタなどの第３プレーヤキャラクタについては、第１の表示態様及び第２の表示態様とは異なる表示態様によって表示させる。
【０２２５】
例えば、表示態様制御部１０７は、例えば、図１１（Ａ）に示すように、第３プレーヤキャラクタが第１ゲームエリアに存在する場合には、ゲーム進行に伴って当該第３プレーヤキャラクタを操作するプレーヤの意図が反映された表示態様（すなわち、ゲームの環境に従って表示される特別な表示加工のない通常の表示態様）によって、第１プレーヤの端末装置２０に該当する第３プレーヤキャラクタを表示させる。
【０２２６】
その一方、表示態様制御部１０７は、例えば、図１１（Ｂ）に示すように、第３プレーヤキャラクタが第２ゲームエリアに存在する場合には、第２プレーヤキャラクタと同種の不利益となる表示態様であって当該第２プレーヤキャラクタとは異なる表示態様（例えば、発光表示）によって、第１プレーヤの端末装置２０に該当する第３プレーヤキャラクタを表示させる。
【０２２７】
なお、表示態様制御部１０７は、第３プレーヤキャラクタが第１ゲームエリアに存在する場合であって、第２プレーヤの端末装置２０に該当する第３プレーヤキャラクタを表示させる場合には、第１の表示態様とは異なる表示態様（例えば、プレーヤキャラクタ名を示す表示オブジェクトを重畳表示する態様）によって当該第３プレーヤキャラクタを表示させてもよい。
【０２２８】
また、表示態様制御部１０７は、第３プレーヤキャラクタが第２ゲームエリアに存在する場合であっても、第１プレーヤの端末装置２０に該当する第３プレーヤキャラクタを表示させる
場合には、第２の表示態様によって当該第３プレーヤキャラクタを表示させてもよい。
【０２２９】
［４．４］画像データの生成及び提供
情報提供部１１０は、ゲーム空間内をゲーム画像として画像化し、制御された各プレーヤキャラクタの表示態様を含む、当該ゲーム画像を端末装置２０に提供するための画像データを生成し、当該生成した画像データを該当する端末装置２０に提供する。
【０２３０】
特に、情報提供部１１０は、ゲーム空間内にプレーヤキャラクタ毎に配置された仮想カメラを視点として、該当するプレーヤの端末装置２０に、上記表示態様制御処理が反映されて生成したゲーム画像を画像データとして提供する。
［４．５］変形例
［４．５．１］境界オブジェクトの分割領域への干渉に基づく表態様制御処理
次に、図１２及び図１３を用いて本実施形態の変形例において境界オブジェクトの分割領域への干渉に基づく表態様制御処理について説明する。
【０２３１】
なお、図１２及び図１３は、本実施形態における境界オブジェクトの分割領域への干渉に基づく表態様制御処理を説明するための図である。
【０２３２】
ゲーム状況検出部１０５は、各プレーヤの境界オブジェクトの攻撃などの当該境界オブジェクトの各分割領域への干渉（特に、第２プレーヤキャラクタを用いた干渉）を検出してもよい。
【０２３３】
そして、表示態様制御部１０７は、検出された各プレーヤの境界オブジェクトの各分割領域への干渉に基づいて、各分割領域の特性を個々に制御してもよい。
【０２３４】
すなわち、表示態様制御部１０７は、プレーヤに基づく操作に応じて分割領域の特性を個々に制御し、又は、一部の分割領域の特性のみ制御することが可能な構成を有している。
【０２３５】
具体的には、ゲーム状況検出部１０５は、
（Ａ１）境界オブジェクト又はその一部へのプレーヤキャラクタ（例えば、第２ゲームエリアに存在する第２プレーヤキャラクタ）自身又は当該第２プレーヤキャラクタのアイテムを用いた接触や攻撃など、当該境界オブジェクト又はその一部を毀損させるための行動、及び、魔法を使用したこと、
（Ａ２）第１ゲームエリアに存在する第１プレーヤキャラクタ又は第２プレーヤキャラクタが境界に接近したこと（すなわち、境界オブジェクトとプレーヤキャラクタとの距離によって）、
（Ａ３）プレーヤキャラクタが第２ゲームエリアに侵入してから当該第２ゲームエリアに滞留し続け、かつ、ゲーム空間が夜になった場合など、プレーヤキャラクタの行動に連動して特定の境界オブジェクト周辺の環境（すなわち、環境パラメータ）が変化することによって（具体的には、環境パラメータによって境界オブジェクトの特性を定めるパラメータが変化する場合）、又は、
（Ａ４）プレーヤキャラクタが同一の境界エリア（ゲーム空間内の同一の座標であってもよいし、同一とみなされる所定の座標範囲であってもよい）を介して第１ゲームエリアから第２ゲームエリアへの侵入を繰り返した場合に境界オブジェクトに設定された特性を定めるパラメータが変化する場合など、プレーヤキャラクタの行動（特に、移動）に関連して予め設定された境界オブジェクトに関するパラメータが変化することによって、
など、当該境界オブジェクト又はその一部の特性を変化させる行動又は行動履歴（直接的又は間接的に境界オブジェクト又はその一部の特性を定めるパラメータを変化させるための行動又は行動履歴も含む。）を検出する。
【０２３６】
そして、表示態様制御部１０７は、例えば、毀損された若しくは攻撃などの影響を受けた分割領域、又は、一定の距離以内にプレーヤキャラクタが接近した分割領域を特定し、特定した分割領域の特性を制御する。
【０２３７】
特に、表示態様制御部１０７は、攻撃を受けた際の攻撃力（ヒットポイント）や影響を受けた際の影響力（影響力パラメータ）、又は、プレーヤキャラクタとの距離に応じて、該当する分割領域の透明度（グレースケール）、色（ＲＧＢ）、サイズ、形、及び、対象物となるプレーヤキャラクタの種別に応じた当該プレーヤキャラクタのそのもの又は輪郭の強調するための性質などを変更し、各プレーヤキャラクタの表示態様を制御する。
【０２３８】
例えば、図１２（Ａ）に示すように、第２プレーヤキャラクタの第２プレーヤの端末装置２０から第１ゲームエリアに存在する第１プレーヤキャラクタが視認できない境界オブジェクトが配置されている場合を想定する。
【０２３９】
この場合において、ゲーム状況検出部１０５は、図１２（Ｂ）に示すように、第２プレーヤキャラクタＰ２から分割領域Ｂ２０が銃撃された場合には、当該銃撃によるヒットポイントと分割領域Ｂ２０に設定された防御力のパラメータに基づいて、破壊されたか否かを判定し、破壊された分割領域Ｂ２０Ｂを特定する。
【０２４０】
そして、表示態様制御部１０７は、破壊された分割領域Ｂ２０Ｂについては、当該分割領域Ｂ２０Ｂを介して画像化される第１ゲームエリアＡ１０に第１プレーヤキャラクタＰ１が含まれている場合には、第２プレーヤキャラクタＰ２を操作するプレーヤの端末装置２０には、当該第１プレーヤキャラクタＰ１が視認可能に表示する表示態様を制御する。
【０２４１】
また、同様に、例えば、図１３（Ａ）に示すように、第２プレーヤキャラクタＰ２の第２プレーヤの端末装置２０から第１ゲームエリアＡ１０に存在する第１プレーヤキャラクタが視認できない境界オブジェクトが配置されている場合を想定する。
【０２４２】
この場合において、ゲーム状況検出部１０５は、図１３（Ｂ）に示すように、第２プレーヤキャラクタが有する特定のアイテム（例えば、銃の先端）と分割領域Ｂ２０Ｂとの距離を検出するとともに、当該検出した距離（以下、「検出距離」という。）が予め定められた条件を具備したか否か（例えば、予め定められた距離以下になったか否か）を判定し、当該検出距離が当該条件を具備した分割領域を特定する。
【０２４３】
そして、表示態様制御部１０７は、当該条件を具備した分割領域については、当該分割領域を介して画像化されるゲーム空間内に第１プレーヤキャラクタが含まれている場合には、第２プレーヤキャラクタを操作するプレーヤの端末装置２０には、当該第１プレーヤキャラクタが視認可能に表示する表示態様を制御する。
【０２４４】
なお、図１３には、検出距離がＬ１の場合には透明度「０（不可視化）」を維持し、当該検出距離がＬ２の場合には条件を具備して透明度が１００％となった場合の例が示されている。
【０２４５】
［４．５．２］第１ゲームエリア（第２ゲームエリア）の移動
次に、図１４を用いて本実施形態における第１ゲームエリアの移動について説明する。なお、図１４は、本実施形態のゲームの進行状況に応じて実行されるゲームエリア設定処理（移動）を説明するための図である。
エリア設定部１０６は、上述のように検出されたゲームの進行状況に応じて、第１ゲームエリア及び第２ゲームエリアの少なくとも一部を移動させてもよい。
【０２４６】
特に、エリア設定部１０６は、上述の縮小を実行するゲームエリア変換処理と同様に、検出されたゲームの進行状況に応じて、段階的に、第１ゲームエリアの範囲を既に設定されている範囲から移動させる。
【０２４７】
例えば、ゲームに関する成績情報を用いる場合には、エリア設定部１０６は、図１４（Ａ）、（Ｂ）及び（Ｃ）に示すように、最高順位のプレーヤキャラクタの得点が所定の得点（例えば１０００００点）に到達し、その後、所定の点数（例えば、１００００点）が加算される毎に、徐々に、街の中心部（駅を中心とした中心部）から街の郊外に向かって第１ゲームエリアを移動させるように、当該第１ゲームエリアと第２ゲームエリアとを設定する。
【０２４８】
また、例えば、位置情報を用いる場合には、エリア設定部１０６は、図１５（Ａ）及び（Ｂ）に示すように、ゲームフィールドの所定のエリア内におけるプレーヤキャラクタの
密集度が所定の密集度（例えば、２０％以下）に到達し、その後、所定の密集度（例えば、３％）に減少する毎に、徐々に、図１５（Ｂ）に示すように、街の中心部（駅を中心とした中心部）から街の郊外に向かって第１ゲームエリアを移動させるように、当該第１ゲームエリアと第２ゲームエリアとを設定する。
【０２４９】
一方、エリア設定部１０６は、検出されたゲームの進行状況に応じて、かつ、所与の設定条件に基づいて、第１ゲームエリアとして、既に設定されている範囲から移動したエリアを設定し、第２ゲームエリアとして、それ以外の範囲を設定してもよい。
【０２５０】
具体的には、エリア設定部１０６は、検出されたゲーム進行状況に応じて、かつ、第１ゲームエリアが、
（Ｂ１）成績やレベルなどが高いプレーヤキャラクタや数多くの戦果を上げているプレーヤキャラクタの移動が必須となるゲームエリア、若しくは、当該プレーヤキャラクタの苦手なエリアなど当該プレーヤが不利となるゲームエリア、
（Ｂ２）成績やレベルなどが高いプレーヤキャラクタや数多くの戦果を上げているプレーヤキャラクタの移動が必須とならないゲームエリア、若しくは、当該プレーヤキャラクタの得意なエリアなど当該プレーヤが有利となるゲームエリア、
（Ｂ３）成績やレベルなどが低い下位のプレーヤキャラクタや戦果の数が少ないプレーヤキャラクタの移動が必要とならないゲームエリア、若しくは、当該プレーヤキャラクタの得意なエリアなど当該のプレーヤが得意となるゲームエリア、又は、
（Ｂ４）プレーヤキャラクタが密集しているゲームエリアや数多くの接触が発生しているゲームエリア、又は、
（Ｂ５）プレーヤキャラクタ間の接触が膠着しているゲームエリア以外のゲームエリア
となるように、当該第１ゲームエリアを移動させつつ、設定してもよい。
【０２５１】
他方、エリア設定部１０６は、第１ゲームエリアを移動させるにあたっては、検出されたゲームの進行状況に応じて、当該第１ゲームエリアを移動する際の移動距離を決定し、決定した移動距離に基づいて、第１ゲームエリアを既に設定されている範囲から移動させてもよい。
【０２５２】
すなわち、この場合には、エリア設定部１０６は、例えば、ゲームに関する成績情報においてプレーヤキャラクタの順位間の差を用いる場合には、その差が大きいほど、移動距離が長くなるように、当該第１ゲームエリアを移動させる際の移動距離合を決定する。
【０２５３】
［４．５．３］特別表示（エイムアシスト表示）を行う表示態様制御処理
本実施形態の表示態様制御部１０７は、第２プレーヤキャラクタが、第１プレーヤキャラクタのプレーヤの端末装置２０に表示される場合（第１プレーヤキャラクタの視点に仮想カメラが配置された場合であって当該仮想カメラによって境界オブジェクトを介して画像化されたゲーム空間内に第２プレーヤキャラクタが含まれている場合）に、第２プレーヤキャラクタを特別表示（エイムアシスト表示）する表示態様制御処理を実行してもよい。
【０２５４】
具体的には、この場合には、表示態様制御部１０７は、特別表示としては、
（Ｃ１）当該ゲーム空間が画像化されている端末装置２０のメイン画面内の当該特第２プレーヤキャラクタが存在する位置において、当該第２プレーヤキャラクタの表示サイズを変更した表示（例えば、通常の５倍）し、又は、
（Ｃ２）当該メイン画面内の当該第２プレーヤキャラクタが存在する位置に新たなウィンドウを形成し、当該ウィンドウ内に所為のサイズを有する第２プレーヤキャラク又はその一部を拡大表示（望遠表示）する、
ための画像データを生成してもよい。
【０２５５】
また、ゲーム管理部１０３は、該当する端末装置２０のロックオン処理部２１８と連動し、第２プレーヤキャラクタが配置されている位置に対して自動的に照準を合わせ、当該照準（ティクル）の画像（以下、「照準画像」という。）を表示しつつ、該当する特定プレーヤキャラクタを選定（具体的には、攻撃のための選定）するロックオン処理を実行してもよい。
【０２５６】
［４．５．４］音又はフィールド形成オブジェクトの消滅に基づく利益・不利益行為の提供
ゲーム管理部１０３は、上記の表示態様制御処理によって第２プレーヤに提供された不利益若しくは第１プレーヤに提供された利益に代えて、又は、加えて、音を用いて、若しくは、ゲームフィールド上に形成されたオブジェクト（すなわち、フィールド形成オブジェクト）の消滅に基づいて、第１プレーヤに利益を提供し、又は、第２プレーヤに不利益を提供してもよい。
【０２５７】
例えば、ゲーム管理部１０３は、第２ゲームエリアに存在する第２プレーヤキャラクタやその第２プレーヤに対する不利益としては、足音や発砲音など第１ゲームエリアで発生した音より大きい音の発生、及び、他のプレーヤから潜伏しやすい建物や草木などの第２ゲームエリアに今まで存在したオブジェクトの消滅（オブジェクトそのものは消滅せずに、他のプレーヤキャラクタの攻撃があっても当該オブジェクトがその攻撃をスルーする場合、すなわち、ヒットチェックのみの消滅も含む。）などを実行する。
【０２５８】
一方、ゲーム管理部１０３は、第１ゲームエリアに存在する第１プレーヤキャラクタやその第１プレーヤに対する利益行為としては、足音や発砲音など第２プレーヤに対してゲーム上において通常時に設定された音より小さい音又は当該音を消音した状態にすること、及び、第２プレーヤキャラクタからの攻撃に対して無効化することなどを実行する。
【０２５９】
［５］本実施形態における動作
次に、図１６を用いて本実施形態のサーバ装置１０によって実行されるエリア変換処理を含む表示態様制御処理の動作について説明する。
【０２６０】
なお、図１６は、本実施形態のサーバ装置１０によって実行されるエリア変換処理を含む表示態様制御処理の動作を示すフローチャートである。
【０２６１】
本動作は、ゲームの開始後に実行する動作であり、既に、ゲームが開始されているものとし、かつ、ゲーム開始時ゲームフィールド全体が第１ゲームエリアに設定されているものとする。
【０２６２】
また、本動作においては、境界オブジェクトに基づく表示態様制御処理を用いて説明各プレーヤの必要なプレーヤ情報はプレーヤ情報記憶部１４６に既に登録されており、該当するプレーヤ情報については、適宜、更新されているものとする。
【０２６３】
まず、ゲーム状況検出部１０５は、所定のタイミングであることを検出すると（ステップＳ１０１）、実行中のゲームにおけるゲームの進行状況を検出する（ステップＳ１０２）。
【０２６４】
次いで、エリア設定部１０６は、検出したゲームの進行状況が所定の条件を具備するか否かを判定し（ステップＳ１０３）、当該条件を具備していないと判定した場合には、本動作を終了させる。
【０２６５】
具体的には、エリア設定部１０６は、所定の時間が経過したか否か、又は、プレーヤキャラクタの検出されたゲームの進行状況が所定の変化をしたか否かなどを判定する。
【０２６６】
一方、エリア設定部１０６は、検出したゲームの進行状況が所定の条件を具備すると判定した場合には、検出したゲームの進行状況に応じて、第１ゲームエリア及び第２ゲームエリアの範囲を特定する（ステップＳ１０４）。
【０２６７】
次いで、表示態様制御部１０７は、第１ゲームエリアと第２ゲームエリアとの境界面に境界オブジェクトを配置する（ステップＳ１０５）。
【０２６８】
なお、このとき、表示態様制御部１０７は、前回の表示態様制御処理において実行中の表示態様に関する各種の情報をリセットする。
【０２６９】
次いで、表示態様制御部１０７は、配置された境界オブジェクトを介して他のゲームエリアのゲーム空間を画像化する場合であって、当該画像化されるゲーム空間内に第１プレーヤキャラクタ又は第２プレーヤキャラクタが含まれる場合に、第１の表示態様又は第２の表示態様によって表示させる表示態様制御処理の実行を開始する（ステップＳ１０６）。
【０２７０】
このとき、情報提供部１１０は、表示態様制御部１０７と連動し、表示態様制御部１０７によって実行された各プレーヤキャラクタの表示態様を含み、端末装置２０毎に仮想カメラを基準としたゲーム空間を画像化して画像データを生成し、生成した画像データを該当する端末装置２０に送信する。
【０２７１】
最後に、ゲーム状況検出部１０５は、所定のタイミングであるか否かを検出しつつ（ステップＳ１０７）、ゲームの終了が指示されたか否かを判定する（ステップＳ１０８）。
【０２７２】
このとき、ゲーム状況検出部１０５は、ステップＳ１０７及びステップＳ１０８を繰り返し実行するとともに、当該処理を繰り返し実行中に、所定のタイミングであることを検出した場合には、ステップＳ１０２の処理に移行し、ゲームの終了が指示されたと判定した場合には本動作を終了させる。
【０２７３】
［６］その他
本発明は、上記実施形態で説明したものに限らず、種々の変形実施が可能である。例えば、明細書又は図面中の記載において広義や同義な用語として引用された用語は、明細書又は図面中の他の記載においても広義や同義な用語に置き換えることができる。
【０２７４】
本実施形態では、対戦ゲームを用いて説明しているが、ＲＰＧ又はシミュレーションゲームなどの他のゲームにおいても対戦形式のゲーム使用を有していれば適用することがきる。
【０２７５】
また、本実施形態は、一のサーバ装置１０によって各ゲームを端末装置２０に提供してもよいし、複数のサーバ装置１０を連動させてサーバシステムを構築し、各ゲームを端末装置に提供してもよい。
【０２７６】
さらに、本実施形態においては、サーバ装置１０によって提供されたゲームを端末装置２０によって実行されているが、操作入力を除き、上記の端末装置２０の処理部２００の各機能及びゲームプログラムの実行をサーバ装置１０で実行し、当該端末装置２０は、操作入力とストリーミングによる画像表示を実行することによって、上記のゲームを実現してもよい。
【０２７７】
また、本実施形態においては、サーバ装置１０の機能を備えた単一のゲーム装置、すなわち、サーバ装置などの他の機器に依存せず単独で動作する装置（スタンドアローン）によって実現してもよく、この場合には、複数の入力端末装置があればよい。
【０２７８】
そして、このようなゲーム端末装置を有線又は無線によって複数連結させ、１のゲーム装置がサーバ装置１０として機能して、複数のゲーム装置によって実現することも可能である。
【０２７９】
また、本実施形態においては、ネットワークを通じて端末装置２０と連動して実行するサーバ装置１０に本発明のゲームシステムを適用しているが、タブレット型情報端末装置やパーソナルコンピュータ、又は、アミューズメントパークに設置されるゲーム装置としても適用することができる。
【０２８０】
本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【０２８１】
上記のように、本発明の実施形態について詳細に説明したが、本発明の新規事項及び効果から実体的に逸脱しない多くの変形が可能であることは当業者には容易に理解できるであろう。したがって、このような変形例はすべて本発明の範囲に含まれるものとする。
【符号の説明】
【０２８２】
１０  …  サーバ装置
２０  …  端末装置
２００  …  処理部
１０１  …  通信制御部
１０２  …  Ｗｅｂ処理部
１０３  …  ゲーム管理部
１０５  …  ゲーム状況検出部
１０６  …  エリア設定部
１０７  …  表示態様制御部
１０９  …  タイマ管理部
１１０  …  情報提供部
１２０  …  入力部
１３０  …  表示部
１４０  …  記憶部
１４２  …  主記憶部
１４４  …  ゲームデータ記憶部
１４６  …  プレーヤ情報記憶部 
１８０  …  情報記憶媒体
１９６  …  通信部
２００  …  処理部
２１０  …  オブジェクト空間設定部
２１２  …  表示制御部
２１３  …  入力検出処理部
２１４  …  ゲーム制御部
２１５  …  ゲーム演算部
２１６  …  仮想カメラ制御部
２１７  …  ゲーム管理部
２１８  …  ロックオン処理部
２２０  …  描画部
２３０  …  音処理部
２７０  …  記憶部
２７１  …  主記憶部
２７２  …  画像バッファ
２７３  …  プレーヤ情報記憶部
２７４  …  ゲームデータ記憶部
２６０  …  入力部
２６２  …  検出部
２８０  …  情報記憶媒体
２９０  …  表示部
２９１  …  音出力部
【図１】
2020103798.tif 000003
【図２】
2020103798.tif 000004
【図３】
2020103798.tif 000005
【図４】
2020103798.tif 000006
【図５】
2020103798.tif 000007
【図６】
2020103798.tif 000008
【図７】
2020103798.tif 000009
【図８】
2020103798.tif 000010
【図９】
2020103798.tif 000011
【図１０】
2020103798.tif 000012
【図１１】
2020103798.tif 000013
【図１２】
2020103798.tif 000014
【図１３】
2020103798.tif 000015
【図１４】
2020103798.tif 000016
【図１５】
2020103798.tif 000017
【図１６】
2020103798.tif 000018